(57)【要約】【課題】  並列タイプの機能を有するパチンコ遊技機において、一方の始動口への入球により特定遊技状態から通常遊技状態に転落した場合に、他方の始動口への入球に基づく演出だけを見ていても、当該転落の事実を遊技者に伝達可能な手段の提供。【解決手段】  他方の遊技で転落移行が決定され、かつ、他方の遊技で当該転落移行時の演出が実行されている場合に参照される、他方転落時演出内容決定テーブルを有するパチンコ遊技機。【選択図】  図２５
2007267946.tif 000002
【特許請求の範囲】
【請求項１】
遊技球が入球可能な第一始動口と、
遊技球が入球可能な第二始動口と、
第一遊技に関する演出を表示可能な第一演出表示部と、
第二遊技に関する演出を表示可能な第二演出表示部と、
開状態と閉状態を採り得る第一可変入賞口と、
場合により存在する、開状態と閉状態を採り得る第二可変入賞口と、
前記第一始動口への遊技球の入球に基づき、第一遊技の内容を決定する第一乱数を取得する第一乱数取得手段と、
前記第二始動口への遊技球の入球に基づき、第二遊技の内容を決定する第二乱数を取得する第二乱数取得手段と、
前記第一乱数に基づき、前記第一演出表示部で表示される前記第一遊技に関する演出の内容を決定する第一演出内容決定手段と、
前記第二乱数に基づき、前記第二演出表示部で表示される前記第二遊技に関する演出の内容を決定する第二演出内容決定手段と、
前記第一演出の開始条件を充足している場合、前記第一演出内容決定手段により決定された表示内容に従い、前記第一演出表示部で前記第一演出を表示するよう制御する第一演出表示制御手段と、
前記第二演出の開始条件を充足している場合、前記第二演出内容決定手段により決定された表示内容に従い、前記第二演出表示部で前記第二演出を表示するよう制御する第二演出表示制御手段と、
前記第一演出又は前記第二演出の表示結果が所定結果となった場合、通常遊技時よりも遊技者にとって有利な、前記第一可変入賞口及び／又は前記第二可変入賞口を開状態とする特別遊技を実行する特別遊技制御手段と
所定条件下、前記特別遊技が終了した後、前記通常遊技時よりも前記特別遊技に移行し易い特定遊技を実行すると共に、前記特定遊技時に、前記第一乱数又は前記第二乱数に基づき、前記特定遊技から前記通常遊技に転落移行するか否かを判定し、当該判定結果を踏まえて前記特定遊技から前記通常遊技に転落移行する遊技状態移行制御手段と
を有する、前記第一演出及び前記第二演出の両方が同時に変動状態を採り得るパチンコ遊技機において、
前記第一演出内容決定手段は、
前記通常遊技時に前記第一演出の内容を決定するために参照される、第一通常遊技時演出内容決定テーブルと、
前記特定遊技時に前記第一演出の内容を決定するために参照される、第一特定遊技時演出内容決定テーブルと、
前記遊技状態移行制御手段が前記特定遊技から前記通常遊技に転落移行決定した場合、当該転落移行時の演出の内容を決定するために参照される、第一転落時演出内容決定テーブルと
を有し、
前記第二演出内容決定手段は、
前記通常遊技時に前記第二演出の内容を決定するために参照される、第二通常遊技時演出内容決定テーブルと、
前記特定遊技時に前記第二演出の内容を決定するために参照される、第二特定遊技時演出内容決定テーブルと、
前記遊技状態移行制御手段が前記特定遊技から前記通常遊技に転落移行決定した場合、当該転落移行時の演出の内容を決定するために参照される、第二転落時演出内容決定テーブルと
を有すると共に、
前記第一演出内容決定手段及び前記第二演出内容決定手段の少なくとも一方は、当該遊技における演出の内容を決定するための更なる演出内容決定テーブルを有しており、ここで、当該テーブルは、他方の遊技で前記転落移行が決定され、かつ、他方の遊技で当該転落移行時の演出が実行されている場合に参照される、他方転落時演出内容決定テーブルである
ことを特徴とするパチンコ遊技機。
【請求項２】
前記第一転落時演出内容決定テーブル及び／又は前記第二転落時演出内容決定テーブルから選択され得る演出の時間は、前記他方転落時演出内容決定テーブルから選択され得る演出の時間よりも長い、請求項１記載のパチンコ遊技機。
【発明の詳細な説明】
【技術分野】
【０００１】
本発明は、始動口への遊技球の入球に基づいて乱数を取得し、当該乱数が当選値である場合、遊技者にとって有利な特別遊技状態に移行するタイプのパチンコ遊技機であって、特に、別々の始動口への遊技球の入球に基づいて別々に抽選を行なうパチンコ遊技機に関する。
【背景技術】
【０００２】
現在最も普及しているパチンコ遊技機は、始動口に遊技球が入球したことを契機として、７セグ等の表示部上で「特別図柄」と称される図柄が変動表示され、当該特別図柄が所定態様（例えば「７」）となった場合、通常遊技状態よりも遊技者にとって利益状態の高い特別遊技に移行するタイプの、いわゆる「デジパチ」と呼ばれている機種（従来の「第一種遊技機」）である（例えば特許文献１）。ここで、遊技者の利益に直結する特別図柄の表示制御の負担を軽減するために、前記の「特別図柄」とは別に、遊技の興趣性を高めるための演出用の「装飾図柄」と称される図柄が、前記特別図柄の変動とシンクロした形で、前記表示部よりもサイズが大きい液晶等のディスプレー上で変動表示される。そして、特別図柄の変動が開始されると装飾図柄も合わせて変動を開始し、特別図柄が所定態様（例えば「７」）で停止した場合、装飾図柄もこれに合わせて特定態様（例えば「７７７」）で停止することとなる。そして、遊技者は、装飾図柄が特定態様で停止したことにより、特別遊技へ移行が確定したことを認識する。
【特許文献１】特開２００３−２３０７１４号公報
【発明の開示】
【発明が解決しようとする課題】
【０００３】
ところで、近年、遊技性向上を更に追及すべく、従来の第一種、第二種、第三種等の枠に縛られない機種開発の必要性が認識されている。このようなニーズを受けて、最近、従来の「第一種の機能を複数有するパチンコ遊技機」が提案されている。ここで、当該複数の機能を有する遊技機における保留状態の解除に関しては、一方の始動口への入球に基づく識別情報（特別図柄・装飾図柄）変動中である場合には他方の始動口への入球に基づく識別情報（特別図柄・装飾図柄）の変動を待機させる「直列タイプ」と、一方の始動口への入球に基づく識別情報（特別図柄・装飾図柄）変動中である場合にも他方の始動口への入球に基づく識別情報（特別図柄・装飾図柄）の変動を待機させない「並列タイプ」とが想定される。具体的には、「直列タイプ」の場合には、例えば、一方の始動口への入球に基づく保留解除と、他方の始動口への入球に基づく保留解除が交互に実行されたり、両方の始動口への入球順に従い、いずれか一方の始動口への入球に基づく保留の解除が実行される。例えば、後者の場合、第1始動口、第２始動口、第２始動口の順序で入球したときには、第１特別図柄、第２特別図柄、第２特別図柄の順に変動表示される。他方、「並列タイプ」の場合には、各始動口への入球に基づく保留の解除は、他の始動口への入球に基づく識別情報（特別図柄・装飾図柄）変動に関係なく、夫々の始動口への入球順に独立して実行される。
【０００４】
ところで、このような「第一種の機能を複数有するパチンコ遊技機」においても、従来機のように、通常遊技状態よりも特別遊技に移行し易い特定遊技状態（確率変動遊技状態、時間短縮遊技状態）が存在する機種が想定される。但し、この場合、パチンコ遊技機が同時に複数の状態を持つ（例えば、第一始動口と第二始動口に同時に遊技球が入球した場合、一方を高確率で抽選し、他方を低確率で抽選する）ように構成することは、遊技内容の複雑化を招くので好ましくなく、当該パチンコ遊技機における遊技状態は常時一つのみであるべきである。したがって、例えば、特定遊技状態時に、一方の始動口への入球に起因して取得した乱数に基づき、特定遊技状態から通常遊技状態への移行が決定した場合、当該始動口への入球に起因した抽選は勿論のこと、以後実行される、他方の始動口への入球に起因した抽選も、通常遊技状態における抽選となる。
【０００５】
ここで、特に「並列タイプの機能を有するパチンコ遊技機」に着目した場合、両方の図柄が変動しているとき、遊技者は、これら両図柄の変動を注視することになる。この場合、前記のように、特定遊技時、いずれか一方の始動口への入球に起因して取得した乱数に基づき、特定遊技状態から通常遊技状態への移行（転落）が決定した場合、当該演出（当該入球に基づく図柄変動）の内容は、当該転落時のみ用いられる転落時演出内容決定用テーブルを参照することにより決定される。ここで、通常、この転落時演出内容決定用テーブルにより決定された演出は、当該転落を遊技者に対して報知する内容となっている。
【０００６】
他方、前記一方の始動口とは別の始動口への入球に基づく演出内容は、前記転落前には、特定遊技状態時に用いられる特定遊技時演出内容決定用テーブルを参照することにより決定され、前記転落後には、通常遊技状態時に用いられる通常遊技時演出内容決定用テーブルを参照することにより決定される。即ち、当該始動口（一方の始動口とは別の始動口）への入球に基づく演出だけ見ていると、ある演出までは特定遊技時の演出が実行されており、次の演出から、唐突に通常遊技時の演出が実行されることになる。この場合、遊技者は、何の前触れも無く転落したことに戸惑いを感じる場合があると共に、もし特定遊技時の演出と通常遊技時の演出にそれ程差異が無いときには、遊技者は、遊技状態が転落したことに気が付かないまま遊技を継続する事態に陥る。
【０００７】
そこで、本発明は、並列タイプの機能を有するパチンコ遊技機において、一方の始動口への入球により特定遊技状態から通常遊技状態に転落した場合に、他方の始動口への入球に基づく演出だけを見ていても、当該転落の事実を遊技者に伝達可能な手段を提供することを第一の目的とする。更には、一方の始動口への遊技球の入球に起因した演出を実行するに際し、他方の始動口への遊技球の入球に基づく演出を考慮し得る手段を提供することにより、両方の演出に関連性乃至は有機的結合性を付与することにより演出の幅を広げ、ひいては遊技の興趣性を高めることを第二の目的とする。
【課題を解決するための手段】
【０００８】
本発明（１）は、遊技球が入球可能な第一始動口（第１特図始動口２２１０）と、
遊技球が入球可能な第二始動口（第２特図始動口２１１０）と、
第一遊技に関する演出を表示可能な第一演出表示部（第１特図表示部２１３１）と、
第二遊技に関する演出を表示可能な第二演出表示部（第２特図表示部２２３１）と、
開状態と閉状態を採り得る第一可変入賞口（第１大入賞口２１２０）と、
場合により存在する、開状態と閉状態を採り得る第二可変入賞口（第２大入賞口２２２０）と、
前記第一始動口（第１特図始動口２２１０）への遊技球の入球に基づき、第一遊技の内容を決定する第一乱数を取得する第一乱数取得手段（第１特図抽選手段１１２１）と、
前記第二始動口（第２特図始動口２１１０）への遊技球の入球に基づき、第二遊技の内容を決定する第二乱数を取得する第二乱数取得手段（第２特図抽選手段１１２２）と、
前記第一乱数に基づき、前記第一演出表示部（第１特図表示部２１３１）で表示される前記第一遊技に関する演出の内容を決定する第一演出内容決定手段（第１特図内容決定手段１１４１）と、
前記第二乱数に基づき、前記第二演出表示部（第２特図表示部２２３１）で表示される前記第二遊技に関する演出の内容を決定する第二演出内容決定手段（第２特図内容決定手段１１４２）と、
前記第一演出の開始条件を充足している場合、前記第一演出内容決定手段（第１特図内容決定手段１１４１）により決定された表示内容に従い、前記第一演出表示部（第１特図表示部２１３１）で前記第一演出を表示するよう制御する第一演出表示制御手段（第１特図制御手段１１５１）と、
前記第二演出の開始条件を充足している場合、前記第二演出内容決定手段（第２特図内容決定手段１１４２）により決定された表示内容に従い、前記第二演出表示部（第２特図表示部２２３１）で前記第二演出を表示するよう制御する第二演出表示制御手段（第２特図制御手段１１５２）と、
前記第一演出又は前記第二演出の表示結果が所定結果となった場合、通常遊技時よりも遊技者にとって有利な、前記第一可変入賞口（第１大入賞口２１２０）及び／又は前記第二可変入賞口（第２大入賞口２２２０）を開状態とする特別遊技を実行する特別遊技制御手段（特別遊技実行手段１１７３）と
所定条件下、前記特別遊技が終了した後、前記通常遊技時よりも前記特別遊技に移行し易い特定遊技を実行すると共に、前記特定遊技時に、前記第一乱数又は前記第二乱数に基づき、前記特定遊技から前記通常遊技に転落移行するか否かを判定し、当該判定結果を踏まえて前記特定遊技から前記通常遊技に転落移行する遊技状態移行制御手段（特定遊技制御手段１１８０）と
を有する、前記第一演出及び前記第二演出の両方が同時に変動状態を採り得るパチンコ遊技機において、
前記第一演出内容決定手段（第１特図内容決定手段１１４１）は、
前記通常遊技時に前記第一演出の内容を決定するために参照される、第一通常遊技時演出内容決定テーブル（第１特図通常遊技状態用抽選テーブル１１４１ａ−１）と、
前記特定遊技時に前記第一演出の内容を決定するために参照される、第一特定遊技時演出内容決定テーブル（第１特図確率変動遊技状態用抽選テーブル１１４１ａ−２、第１特図時間短縮遊技状態用抽選テーブル１１４１ａ−３）と、
前記遊技状態移行制御手段（特定遊技制御手段１１８０）が前記特定遊技から前記通常遊技に転落移行決定した場合、当該転落移行時の演出の内容を決定するために参照される、第一転落時演出内容決定テーブル（第１特図転落変動時用抽選テーブル１１４１ａ−４）と
を有し、
前記第二演出内容決定手段（第２特図内容決定手段１１４２）は、
前記通常遊技時に前記第二演出の内容を決定するために参照される、第二通常遊技時演出内容決定テーブル（第２特図通常遊技状態用抽選テーブル１１４２ａ−１）と、
前記特定遊技時に前記第二演出の内容を決定するために参照される、第二特定遊技時演出内容決定テーブル（第２特図確率変動遊技状態用抽選テーブル１１４２ａ−２、第２特図時間短縮遊技状態用抽選テーブル１１４２ａ−３）と、
前記遊技状態移行制御手段（特定遊技制御手段１１８０）が前記特定遊技から前記通常遊技に転落移行決定した場合、当該転落移行時の演出の内容を決定するために参照される、第二転落時演出内容決定テーブル（第２特図転落変動時用抽選テーブル１１４２ａ−４）と
を有すると共に、
前記第一演出内容決定手段（第１特図内容決定手段１１４１）及び前記第二演出内容決定手段（第２特図内容決定手段１１４２）の少なくとも一方は、当該遊技における演出の内容を決定するための更なる演出内容決定テーブルを有しており、ここで、当該テーブルは、他方の遊技で前記転落移行が決定され、かつ、他方の遊技で当該転落移行時の演出が実行されている場合に参照される、他方転落時演出内容決定テーブル（他方特図転落変動時用抽選テーブル１１４１ａ−５、他方特図転落変動時用抽選テーブル１１４２ａ−５）である
ことを特徴とするパチンコ遊技機である。
【０００９】
本発明（２）は、前記第一転落時演出内容決定テーブル（第１特図転落変動時用抽選テーブル１１４１ａ−４）及び／又は前記第二転落時演出内容決定テーブル（第２特図転落変動時用抽選テーブル１１４２ａ−４）から選択され得る演出の時間は、前記他方転落時演出内容決定テーブル（他方特図転落変動時用抽選テーブル１１４１ａ−５、他方特図転落変動時用抽選テーブル１１４２ａ−５）から選択され得る演出の時間よりも長い、前記発明（１）のパチンコ遊技機である。
【００１０】
ここで、本特許請求の範囲及び本明細書における各用語の意義について説明する。まず、「入球」とは、賞球が払い出させる入賞のみならず、遊技者に対して何らかの利益状態を生じ得るもの一切を包含する概念であり、いわゆる「スルーチャッカー」や入賞口を含む。「入賞」とは、賞球払出に関連する概念である。「演出」とは、遊技の興趣性を高める表示内容を指し、例えば、アニメーションや実写等の動画像や絵、写真等の静止画像又はこれらの組み合わせを挙げることができる。具体的には、識別情報の変動表示及び停止表示や、前記識別情報の変動表示又は停止表示を事前に報知又は示唆する予告表示を挙げることができる。ここで、「識別情報」とは、視覚的に認識可能なものであれば特に限定されず、例えば、数字、文字、図柄等を挙げることができる（例えば、装飾図柄や特別図柄）。「開状態」とは、遊技球が流入可能な状態や流入し易い状態を指し、「閉状態」とは、遊技球が流入不能な状態や遊技球が流入困難な状態を指す。「乱数」とは、パチンコ遊技機において何らかの遊技内容を決定するための抽選（電子計算機によるくじ）に使用される乱数（遊技内容決定乱数）であり、例えば、第一乱数及び第二乱数に関しては、遊技の結果に影響を与えるいわゆる「基本乱数」、具体的には、特別遊技の移行と関連した「当選乱数」、識別図柄の変動態様（又は変動時間）を決定するための「変動態様決定乱数」、停止図柄を決定する「図柄決定乱数」、特別遊技後に特定遊技（例えば確率変動遊技）に移行するか否かを決定する「当たり図柄決定乱数」を挙げることができる。尚、変動態様の内容や確定識別情報の内容等を決定する際、これらすべての乱数を使用する必要はなく、互いに同一又は相違する、少なくとも一つの乱数を使用すればよい。また、例えば、一つの乱数（例えば当選乱数）が、別の乱数（例えば図柄決定乱数）を兼ねていてもよい。「乱数に基づき」とは、識別情報の変動内容や停止識別情報を当該乱数から直接的に決定する場合のみならず、当該乱数から直接決定された事項から間接的に決定する場合も包含する（例えば、停止図柄を乱数から直接決定し、当該停止図柄から変動内容を決定する場合、特別図柄を乱数から直接決定し、当該特別図柄から装飾図柄を決定する場合）。
【発明の効果】
【００１１】
本発明（１）によれば、二個の始動口への入球に基づき夫々が独立して特別遊技移行抽選や転落抽選（特定遊技から通常遊技への移行抽選）を行うパチンコ遊技機（並列タイプの機能を有するパチンコ遊技機）において、一方の始動口への入球により特定遊技状態から通常遊技状態に転落した場合に、他方の始動口への入球に基づく演出だけを見ていても、当該転落の事実を遊技者に伝達可能である結果、遊技状態の変化を遊技者に確実に伝達することができるという効果を奏する。更に、一方の始動口への遊技球の入球に起因した演出を実行するに際し、他方の始動口への遊技球の入球に基づく演出を考慮し得るよう構成されている結果、両方の演出に関連性乃至は有機的結合性を付与することにより演出の幅を広げることができ、ひいては遊技の興趣性を高めることが可能になるという効果も奏する。
【００１２】
本発明（２）によれば、前記効果に加え、転落が決定した側の転落時演出の演出時間が、他方の演出時間よりも長く構成されているので、前者の演出が実行されている間に後者の演出が複数回実行可能な状況が構築できる。この場合、当該前者の演出が実行されている期間を、他方の演出が複数回実行可能である特別な期間と位置づけることにより、これまでに存在しない斬新な遊技を提供でき、転落することによる不利益を払拭できる程度の満足感を遊技者に付与することができるという効果を奏する。
【発明を実施するための最良の形態】
【００１３】
以下、本発明の最良形態を説明する。尚、以下の最良形態は、従来の第１種パチンコ遊技機を二つ混在させたような機種であるが、これに限定されず、例えば他の遊技機（例えば、従来の第１種の機能を二つと従来の第２種の機能を一つ有する遊技機）に応用された場合も本発明の範囲内である。尚、あくまで最良の形態であり、各手段が存在する場所や機能等、各種処理に関しての各ステップの順序、フラグのオン・オフのタイミング、各ステップの処理を担う手段名等に関し、以下の態様に限定されるものではない。
【００１４】
ここで、本発明の最良形態は、第１特別図柄と第２特別図柄の一方の図柄が変動中であっても他方の図柄変動が禁止されない「並列モード」と、第１特別図柄と第２特別図柄の一方の図柄が変動中である場合には他方の図柄変動が禁止される「直列モード」とが存在するタイプに関する。但し、本発明は、並列モードしか存在しないタイプをも包含する。ここで、本最良形態においては、並列モードにおいて複数の特別遊技が同時に実行されることを回避するために、後述する「強制一時停止タイプ」（タイプＡ）及び「強制ハズレ図柄差換タイプ」（タイプＢ）が夫々存在する。以下、まず、本最良形態のタイプＡについて説明する。
【００１５】
まず、図１を参照しながら、本最良形態（タイプＡ）に係るパチンコ遊技機の前面側の基本構造を説明する。パチンコ遊技機は、主に遊技機枠と遊技盤で構成される。以下、これらを順に説明する。
【００１６】
はじめに、パチンコ遊技機の遊技機枠は、外枠１０２、前枠１０４、透明板１０６、扉１０８、上球皿１１０、下球皿１１２及び発射ハンドル１１６を含む。まず、外枠１０２は、パチンコ遊技機を設置すべき位置に固定するための枠体である。前枠１０４は、外枠１０２の開口部分に整合する枠体であり、図示しないヒンジ機構を介して外枠１０２に開閉可能に取り付けられる。前枠１０４は、遊技球を発射する機構、遊技盤を着脱可能に収容させるための機構、遊技球を誘導又は回収するための機構等を含む。透明板１０６は、ガラス等により形成され、扉１０８により支持される。扉１０８は、図示しないヒンジ機構を介して前枠１０４に開閉可能に取り付けられる。上球皿１１０は、遊技球の貯留、発射レールへの遊技球の送り出し、下球皿１１２への遊技球の抜き取り等の機構を有する。下球皿１１２は、遊技球の貯留、抜き取り等の機構を有する。また、上球皿１１０と下球皿１１２の間にはスピーカ１１４が設けられており、遊技状態等に応じた効果音が出力される。更に、遊技領域１２０の右下には、現在の遊技状態（通常遊技状態、確率変動遊技状態、時間短縮遊技状態）を報知する状態表示灯４０００が設置されている。
【００１７】
次に、遊技盤は、外レール１２２と内レール１２４とにより区画された遊技領域１２０が形成されている。そして、当該遊技領域１２０には、図示しない複数の遊技釘及び風車等の機構や各種一般入賞口の他、第１特図始動口２１１０、第２特図始動口２２１０、普図入賞口２４１０、第１大入賞口２１２０、第２大入賞口２２２０、第１特別図柄表示装置２１３０、第２特別図柄表示装置２２３０、演出表示装置２３１０、普通図柄表示装置２４２０、センター飾り１９２及びアウト口１４２が設置されている。以下、各要素を順番に詳述する。
【００１８】
まず、第１特図始動口２１１０は、第１遊技に対応する始動入賞口として設置されている。具体的構成としては、第１特図始動口２１１０は、第１入球検出装置２１１１と、第１電動役物２１１２と、第１電動役物２１１２を開閉させるための第１電動役物ソレノイド１３２とを備える。ここで、第１入球検出装置２１１１は、第１特図始動口２１１０への遊技球の入球を検出するセンサであり、入球時にその入球を示す第１特図始動口入球情報を生成する。次に、第１電動役物２１１２は、第１特図始動口２１１０に遊技球が入賞し得る通常状態と当該通常状態よりも遊技球が入賞し易い開放状態に可変する。
【００１９】
次に、第２特図始動口２２１０は、第２遊技に対応する始動入賞口として設置されている。具体的構成としては、第２特図始動口２２１０は、第２入球検出装置２２１１を備える。ここで、第２入球検出装置２２１１は、第２特図始動口２２１０への遊技球の入球を検出するセンサであり、入球時にその入球を示す第２特図始動口入球情報を生成する。
【００２０】
次に、普図入賞口２４１０は、入球検出装置２４１１を備える。ここで、入球検出装置２４１１は、普図入賞口２４１０への遊技球の入球を検出するセンサであり、入球時にその入球を示す普図始動口入球情報を生成する。尚、普図入賞口２４１０への遊技球の入球は、第１特図始動口２１１０の第１電動役物２１１２を拡開させるための抽選の契機となる。
【００２１】
次に、第１大入賞口２１２０（第２大入賞口２２２０）は、第１特別図柄（第２特別図柄）が所定態様で停止した場合、「大当たり」として開状態となる、横長方形状を成しアウト口１４２の左上方（右上方）に位置した、第１遊技（第２遊技）に対応した入賞口である。具体的構成としては、第１大入賞口２１２０（第２大入賞口２２２０）は、遊技球の入球を検出するための第１入球検出装置２１２１（第２入球検出装置２２２１）と、第１電動役物２１２２（第２電動役物２２２２）と、第１電動役物２１２２（第２電動役物２２２２）を開閉させるための第１ソレノイド２１２３（第２ソレノイド２２２３）とを備える。ここで、第１入球検出装置２１２１（第２入球検出装置２２２１）は、第１大入賞口２１２０（第２大入賞口２２２０）への遊技球の入球を検出するセンサであり、入球時にその入球を示す第１大入賞口入球情報（第２大入賞口入球情報）を生成する。第１ソレノイド２１２３（第２ソレノイド２２２３）は、第１大入賞口２１２０（第２大入賞口２２２０）に遊技球が入賞不能又は入賞困難な通常状態と遊技球が入賞し易い開放状態に第１大入賞口２１２０（第２大入賞口２２２０）を可変させる。尚、本最良形態では、大入賞口は二つ存在するが、第１遊技に基づく特別遊技と第２遊技に基づく特別遊技を一つの大入賞口で実行するよう構成してもよい。
【００２２】
次に、第１特別図柄表示装置２１３０（第２特別図柄表示装置２２３０）は、第１遊技（第２遊技）に対応する第１特別図柄（第２特別図柄）の変動表示及び停止表示を行う。具体的構成としては、第１特別図柄表示装置２１３０（第２特別図柄表示装置２２３０）は、第１特図表示部２１３１（第２特図表示部２２３１）と、第１特図保留表示部２１３２（第２特図保留表示部２２３２）とを備える。ここで、第１特図保留表示部２１３２（第２特図保留表示部２２３２）は、４個のランプから構成され、当該ランプの点灯個数が、第１遊技（第２遊技）に係る乱数の保留数（実行されていない特別図柄の変動数）に相当する。尚、第１特別図柄表示装置２１３０（第２特別図柄表示装置２２３０）は、例えば７セグメントＬＥＤで構成され、第１特別図柄（第２特別図柄）は、「０」〜「９」の１０種類の数字及びハズレの「−」で表示される。
【００２３】
尚、第１特別図柄（第２特別図柄）は必ずしも演出的な役割を持つ必要が無いため、本最良形態では、第１特別図柄表示装置２１３０（第２特別図柄表示装置２２３０）の大きさは、目立たない程度に設定されている。しかしながら、第１特別図柄（第２特別図柄）自体に演出的な役割を持たせて第１装飾図柄（第２装飾図柄）を表示させないような手法を採用する場合には、後述する演出表示装置２３１０のような液晶ディスプレーに、第１特別図柄（第２特別図柄）を表示させるように構成してもよい。
【００２４】
次に、演出表示装置２３１０は、主として、第１特別図柄・第２特別図柄と連動して変動・停止する第１装飾図柄・第２装飾図柄を含む演出画像の変動表示及び停止表示が行われる。具体的には、表示制御手段２３２３の表示制御により、画面上に、第１装飾図柄の演出表示領域・保留球数表示領域と、第２装飾図柄の演出表示領域・保留球数表示領域とが形成される。尚、本最良形態においては、左側が第１装飾図柄に関する領域、右側が第２装飾図柄に関する領域と割り振ったが、このような割り振りをせず、画面内を第１装飾図柄や第２装飾図柄が自由に移動するように構成してもよい。尚、演出表示装置２３１０は、本最良形態では液晶ディスプレーで構成されているが、共通の演出形態を構築できる限り、機械式のドラムやＬＥＤ等の他の表示手段で構成されていてもよい。
【００２５】
次に、普通図柄表示装置２４２０は、普通図柄の変動表示及び停止表示が行われる。具体的構成としては、普通図柄表示装置２４２０は、普図表示部２４２１と、普図保留表示部２４２２とを備える。ここで、普図保留表示部２４２２は、４個のランプから構成され、当該ランプの点灯個数が、普通図柄変動の保留数（実行されていない普通図柄変動の数）に相当する。
【００２６】
最後に、センター飾り１９２は、演出表示装置２３１０の周囲に設置され、遊技球の流路、演出表示装置２３１０の保護、装飾等の機能を有する。また、遊技効果ランプ１９０は、遊技領域１２０に設けられ、点滅等することで演出の役割を果たす。
【００２７】
次に、図２を参照しながら、パチンコ遊技機の背面側における基本構造を説明する。パチンコ遊技機は、パチンコ遊技機の全体動作を制御し、特に第１特図始動口２１１０（第２特図始動口２２１０）へ入球したときの抽選等、遊技動作全般の制御（即ち、遊技者の利益と直接関係する制御）を行う主制御装置１０００と、遊技内容に興趣性を付与する演出表示装置２３１０上での各種演出に係る表示制御を行う演出表示制御手段２３２０と、遊技の興趣性を高める演出が表示される演出表示装置２３１０と、賞球タンク２１２、賞球レール２１４及び各入賞口への入賞に応じて賞球タンク２１２から供給される遊技球を上球皿１１０へ払い出す払出ユニット２１６等を備える賞球払出機構（セット基盤）２１０と、払出ユニット２１６による払出動作を制御する賞球払出装置３０００と、上球皿１１０の遊技球（貯留球）を遊技領域１２０へ１球ずつ発射する発射装置２３２と、発射装置２３２の発射動作を制御する発射制御基板２３０と、パチンコ遊技機の各部へ電力を供給する電源ユニット２９０と、パチンコ遊技機の電源をオンオフするスイッチである電源スイッチ２９２等が、前枠１０４裏面（遊技側と反対側）に設けられている。
【００２８】
次に、図３のブロック図を参照しながら、本最良形態（タイプＡ）に係るパチンコ遊技機の各種機能について説明する。尚、図中の点線囲みに係る手段は、本最良形態のタイプＢに係るものであるので、これらについては後述する。はじめに、主制御装置１０００は、遊技に係る遊技周辺機器２０００と、主制御装置１０００からの払出指示に基づき所定数の賞球の払出制御を行う賞球払出装置３０００と情報伝達可能に接続されている。その他、図示しないが、各種遊技効果ランプ１９０（例えばサイドランプ）やスピーカ１１４等とも電気的に接続されている。尚、主制御装置１０００は、ハードウエア的にはデータやプログラムを格納するＲＯＭやＲＡＭ、演算処理に用いるＣＰＵ等の素子等から構成される。尚、以下で主制御装置１０００に含まれるとする各手段を周辺機器（例えば、遊技周辺機器２０００）に搭載される形で構成してもよい。例えば、本最良形態では、主制御装置１０００に払出制御機能を持たせているが、例えば賞球払出装置３０００内に持たせるように構成してもよい。同様に、周辺機器（例えば、遊技周辺機器２０００）に含まれるとする各手段を主制御装置１０００に搭載される形で構成してもよい。以下、上記各手段（装置）の詳細を説明する。
【００２９】
まず、主制御装置１０００は、第１遊技・第２遊技・補助遊技・一般遊技に関する主たる制御を司る遊技制御手段１１００と、第１遊技と第２遊技との調整を行なう遊技間調整手段１２００と、遊技周辺機器２０００側に各種遊技情報｛例えば、停止図柄（停止態様）情報、停止図柄（停止態様）の属性情報（例えば、確率変動当たり、回数制限付き時間短縮当たり、通常当たり、ハズレ）、変動態様に関する情報（例えば、変動時間）、特別遊技の開始信号・状態情報・終了信号、保留情報等｝を送信するための情報送信手段１３００と、各種入賞口への遊技球の入賞に基づき所定の賞球の払出を行うように賞球払出装置３０００を制御する賞球払出決定手段１４００とを有している。
【００３０】
ここで、遊技制御手段１１００は、各入球口（始動口等）への遊技球の流入を判定するための入球判定手段１１１０と、各乱数の取得可否を判定し、当該判定結果に基づき当該各乱数を取得するための抽選手段１１２０と、変動表示中における各始動口への入球を保留球として上限個数以内で一時記憶するための保留制御手段１１３０と、各乱数に基づき、各図柄の停止図柄及び変動態様（変動時間等）を決定するための図柄内容決定手段１１４０と、各図柄の変動及び停止表示する制御を行うための表示制御手段１１５０と、第１特図始動口２１１０の第１電動役物２１１２の開閉決定に直接関連する各種処理を行うための電チュー開閉制御手段１１６０と、通常遊技よりも遊技者に有利な各特別遊技に関する制御を司る特別遊技制御手段１１７０と、第１遊技及び第２遊技に関し、現在の遊技状態をどの遊技状態に移行させるかの決定と、当該決定に基づき遊技状態を移行させる処理を行うための特定遊技制御手段１１８０と、現在の遊技状態｛例えば、特別遊技状態、大当たり抽選確率に関連した状態｛通常遊技状態、確率変動遊技状態、確率変動遊技状態→通常遊技状態（転落状態）｝、電チュー開閉に関連した状態（易開放状態、非易開放状態）、特別図柄に係る停止図柄及び変動態様情報、各種フラグのオンオフ状況、特別遊技中の遊技状態（例えばラウンド数や入賞個数情報）｝等を一時記憶するための遊技状態一時記憶手段１１９０とを有している。以下、各手段について詳述する。
【００３１】
まず、入球判定手段１１１０は、第１特図始動口２１１０へ遊技球が入球したか否かを判定する第１特図始動口入球判定手段１１１１と、第２特図始動口２２１０へ遊技球が入球したか否かを判定する第２特図始動口入球判定手段１１１２と、普図入賞口２４１０に遊技球が流入したか否かを判定する普図始動口入球判定手段１１１３とを有している。
【００３２】
次に、抽選手段１１２０は、第１特図始動口２１１０への遊技球の入球に基づき遊技内容決定乱数（第１乱数）を取得するか否かを判定すると共に、判定結果に応じて当該乱数（例えば、当選乱数、変動態様決定乱数、特別図柄決定乱数、転落抽選乱数等）を取得する第１特図抽選手段１１２１と、第２特図始動口２２１０への遊技球の入球に基づき遊技内容決定乱数（第２乱数）を取得するか否かを判定すると共に、判定結果に応じて当該乱数（例えば、当選乱数、変動態様決定乱数、特別図柄決定乱数、転落抽選乱数等）を取得する第２特図抽選手段１１２２と、普通図柄当選乱数の取得の可否を判定し、当該判定結果に基づき当該乱数を取得するための普図抽選手段１１２３とを有している。
【００３３】
ここで、上記を含め本特許請求の範囲及び本明細書における「乱数」は、例えば、乱数の種類により割り振られた「０」〜「６５５３５」（当選乱数）や「０」〜「２５５」（変動態様決定乱数）といった所定範囲からランダムに選択された値である。また、乱数としては、数学的に発生させる乱数でなくともよく、ハードウエア乱数やソフトウエア乱数等により発生させる擬似乱数でもよい。例えば、乱数にある夫々の値の発現方式が、乱数の数列に沿って順々に値を発現させる方式（プラスワン方式）、乱数の数列の最終値が発現したときの次の値（初期値）を偶然性のある値によって定める方式（初期値更新方式）、これらの組み合わせ等を挙げることができる。
【００３４】
次に、保留制御手段１１３０は、第１特別図柄変動許可が下りていない状況で取得した当該遊技内容決定乱数を一時記憶するか否かを判定し、当該判定結果に基づき前記乱数を図柄変動許可が下りるまで第１特図保留情報一時記憶手段１１３１ａに保留するための第１特図保留手段１１３１と、第２特別図柄変動許可が下りていない状況で取得した当該遊技内容決定乱数を一時記憶するか否かを判定し、当該判定結果に基づき前記乱数を図柄変動許可が下りるまで第２特図保留情報一時記憶手段１１３２ａに保留するための第２特図保留手段１１３２と、普通図柄変動許可が下りていない状況で取得した普通図柄当選乱数を一時記憶するか否かを判定し、当該判定結果に基づき当該乱数を図柄変動許可が下りるまで保留するための普図保留手段１１３３とを有している。ここで、第１特図保留手段１１３１、第２特図保留手段１１３２及び普図保留手段１１３３は、最大４個まで記憶可能な、前記乱数を保留順序と結合した形で一時記憶するための、第１特図保留情報一時記憶手段１１３１ａ、第２特図保留情報一時記憶手段１１３２ａ及び普図保留情報一時記憶手段１１３３ａを夫々有している。
【００３５】
次に、図柄内容決定手段１１４０は、取得した遊技内容決定乱数（第１乱数）に基づき、第１特別図柄の停止図柄（停止態様）と変動態様（変動時間等）を決定する第１特図内容決定手段１１４１と、取得した遊技内容決定乱数（第２乱数）に基づき、第２特別図柄の停止図柄（停止態様）と変動態様（変動時間等）を決定する第２特図内容決定手段１１４２と、取得した普通図柄当選乱数に基づき普通図柄の停止図柄を決定する普図内容決定手段１１４３とを有している。
【００３６】
ここで、第１特図内容決定手段１１４１は、第１特別図柄に係る停止図柄や変動態様を決定する際に参照される第１特図内容決定用抽選テーブル１１４１ａを当たり・ハズレ毎に異なるテーブルとして有しており、当該第１特図内容決定用抽選テーブル１１４１ａは、遊技状態に応じて異なる各種抽選テーブルを備えている（通常遊技→第１特図通常遊技状態用抽選テーブル１１４１ａ−１、確率変動遊技→第１特図確率変動遊技状態用抽選テーブル１１４１ａ−２、時間短縮遊技→第１特図時間短縮遊技状態用抽選テーブル１１４１ａ−３、転落時遊技（当該遊技）→第１特図転落変動時抽選テーブル１１４１ａ−４、転落時遊技（他方遊技）→他方特図転落変動時抽選テーブル１１４１ａ−５）。また、第２特図内容決定手段１１４２は、第２特別図柄に係る停止図柄や変動態様を決定する際に参照される第２特図内容決定用抽選テーブル１１４２ａを当たり・ハズレ毎に異なるテーブルとして有しており、当該第２特図内容決定用抽選テーブル１１４２ａは、遊技状態に応じて異なる各種抽選テーブルを備えている（通常遊技→第２特図通常遊技状態用抽選テーブル１１４２ａ−１、確率変動遊技→第２特図確率変動遊技状態用抽選テーブル１１４２ａ−２、時間短縮遊技→第２特図時間短縮遊技状態用抽選テーブル１１４２ａ−３、転落時遊技（当該遊技）→第２特図転落変動時抽選テーブル１１４２ａ−４、転落時遊技（他方遊技）→他方特図転落変動時抽選テーブル１１４２ａ−５）。更に、普図内容決定手段１１４３は、普通図柄に係る停止図柄を決定する際に参照される普図内容決定用抽選テーブル１１４３ａを有しており、当該普図内容決定用抽選テーブル１１４３ａは、遊技状態に応じて異なる各種当選テーブルを備えている（通常遊技→普図通常用抽選テーブル１１４３ａ−１、確率変動遊技及び時間短縮遊技→普図時間短縮用抽選テーブル１１４３ａ−２）。
【００３７】
ここで、本発明の一特徴は、第１特図内容決定手段１１４０及び第２特図内容決定手段１１４２が、他方特図転落変動時抽選テーブルという新たなテーブルを備えている点である。当該テーブルは、一方の遊技での抽選結果に起因して確率変動遊技状態から通常遊技状態に転落した際、当該転落抽選に係る他方の図柄変動が実行されている間だけ参照される。当該テーブルを参照することにより選択され得る変動態様としては、例えば、（１）他方の図柄変動により遊技状態が転落したことを報知する変動態様（以下、「タイプ１」という）や、（２）当該転落抽選に係る他方の図柄変動が実行されている間だけ、実質的に遊技者の利益状態が変わる変動態様（例えば、変動時間が短い変動態様、以下、「タイプ２」という）、を挙げることができる。具体的には、タイプ１の場合には、例えば、通常遊技時はＬＥＤを白色で変動し、確率変動時はＬＥＤを赤色で変動し、転落変動時（自身で転落）はＬＥＤを黄色で変動し、他方転落変動時はＬＥＤを青色で変動する態様を挙げることができる。また、タイプ２の場合には、転落した方の変動時間を著しく長くする一方、他方の変動時間を著しく短くすることにより、当該期間中、より多くの特別遊技移行抽選を実行することができる結果、遊技者の利益状態を高くすることが可能となる。
【００３８】
ここで、図２２に、「タイプ１」に係る抽選テーブルの例を示す。尚、本例（以下の図２３も同様）においては、理解の容易上、変動態様の数や時間等を簡素化したが、これらの数や数値等に何ら限定されるものではない（あくまで例示である）。そこで当該図の内、本発明と関連するテーブルを説明すると、まず、転落変動時用抽選テーブルは、他のテーブルの変動時間よりも長く設定されている。これは、当該転落変動時には、遊技者に対して転落を告知乃至は示唆する演出を行うところ、当該演出を行うに十分な時間を担保するためである。また、他方転落変動時用抽選テーブルも、前記転落変動時用抽選テーブルと同様、他のテーブルの変動時間よりも長く設定されている。これも、当該他方転落変動時には、遊技者に対して他方の変動に基づく転落を告知乃至は示唆する演出を行うところ、当該演出を行うに十分な時間を担保するためである。
【００３９】
次に、図２３に、「タイプ２」に係る抽選テーブルの例を示す。まず、転落変動時用抽選テーブルは、他のテーブルの変動時間よりも著しく長く設定されている。他方、他方転落変動時用抽選テーブルは、他のテーブルの変動時間よりも著しく短く設定されている。これら両者の組み合わせにより、当該期間中、より多くの特別遊技移行抽選を実行することができる結果、遊技者の利益状態を高くすることが可能となる。
【００４０】
尚、本最良形態においては、第１特別図柄側と第２特別図柄側の両方が、他方転落用抽選テーブルを有するように構成したが、いずれか一方のみを有する形態としてもよい。更に、「タイプ１」の場合には、メイン側で当該他方転落用抽選テーブルを備えていなくとも、サブ側でのみ他方転落用抽選テーブルを備えるような形態としてもよい。
【００４１】
加えて、本最良形態において、上記における第１特図内容決定手段１１４１が有する抽選テーブル（第１特図内容決定用抽選テーブル１１４１ａ）と第２特図内容決定手段１１４２が有する抽選テーブル（第２特図内容決定用抽選テーブル１１４２ａ）は、実質的に同等の特徴を有する。即ち、大当たりの抽選確率や選択される変動態様に係る変動時間は、基本的には同等である。また、図示しないが、上記における第１特図内容決定用抽選テーブル１１４１ａの各抽選テーブル（第１特図通常遊技状態用抽選テーブル１１４１ａ−１、第１特図確率変動遊技状態用抽選テーブル１１４１ａ−２、第１特図時間短縮遊技状態用抽選テーブル１１４１ａ−３、第１特図転落変動時抽選テーブル１１４１ａ−４、他方特図転落変動時抽選テーブル１１４１ａ−５）及び第２特図内容決定用抽選テーブル１１４２ａの各抽選テーブル（第２特図通常遊技状態用抽選テーブル１１４２ａ−１、第２特図確率変動遊技状態用抽選テーブル１１４２ａ−２、第２特図時間短縮遊技状態用抽選テーブル１１４２ａ−３、第２特図転落変動時抽選テーブル１１４２ａ−４、他方特図転落変動時抽選テーブル１１４２ａ−５）は、変動態様を決定するに際し、夫々が複数の抽選テーブルを有しており、所定条件を充足した場合（例えば保留球が所定数以上）では、短い変動態様が選択され易い抽選テーブルが選択され、他方、所定条件を充足しない場合（例えば保留球が所定数未満）では、長い変動態様が選択され易い抽選テーブルが選択されるように構成されている。尚、本形態では、第１特別図柄に関する抽選テーブルと第２特別図柄に関する抽選テーブルとを別々のものとして構成したが、第１特別図柄に関する抽選テーブルと第２特別図柄に関する抽選テーブルとを共通のものとして構成してもよい。
【００４２】
次に、表示制御手段１１５０は、第１特別図柄表示装置２１３０の第１特図表示部２１３１上で、所定時間第１特別図柄を変動させた後に停止表示する制御を行う第１特図制御手段１１５１と、第２特別図柄表示装置２２３０の第２特図表示部２２３１上で、所定時間第２特別図柄を変動させた後に停止表示する制御を行う第２特図制御手段１１５２と、普通図柄表示装置２４２０の普図表示部２４２１上で、所定時間普通図柄を変動させた後に停止表示する制御を行う普図制御手段１１５３と、現在の遊技状態（通常遊技状態、確率変動遊技状態、時間短縮遊技状態）の報知制御を司る状態表示灯制御手段１１５４とを有している。
【００４３】
ここで、第１特図制御手段１１５１は、前記第１特図内容決定手段１１４１により決定された変動態様に係る変動時間を管理するための第１特図変動時間管理手段１１５１ａを更に有している。また、第１特図変動時間管理手段１１５１ａは、ゼロクリア可能な第１特図変動管理用タイマ１１５１ａ−１（デクリメントカウンタ）を更に有している。次に、第２特図制御手段１１５２は、前記第２特図内容決定手段１１４２により決定された変動態様に係る変動時間を管理するための第２特図変動時間管理手段１１５２ａを更に有している。また、第２特図変動時間管理手段１１５２ａは、ゼロクリア可能な第２特図変動管理用タイマ１１５２ａ−１（デクリメントカウンタ）を更に有している。更に、普図制御手段１１５３は、普通図柄表示装置２４２０の普図表示部２４２１上での普通図柄の変動時間を管理するための普図変動時間管理手段１１５３ａを有している。また、普図変動時間管理手段１１５３ａは、時間を計測可能な普図変動管理用タイマ１１５３ａ−１を更に備えている。
【００４４】
次に、電チュー開閉制御手段１１６０は、第１特図始動口２１１０の第１電動役物２１１２を開閉する処理を行うための条件を充足しているか否かを判定するための条件判定手段１１６１と、第１特図始動口２１１０の第１電動役物２１１２の駆動（開放）時間を計測する開放タイマ１１６２とを有している。
【００４５】
次に、特別遊技制御手段１１７０は、停止した第１特別図柄が所定態様であるか否かの判定を行うと共に、当たりに当選しており（当たりフラグが発生しており）、かつ、所定態様である場合には、第１大入賞口２１２０を所定条件で開状態にするという第１特別遊技を実行するための第１特別遊技制御手段１１７１と、停止した第２特別図柄が所定態様であるか否かの判定を行うと共に、当たりに当選しており（当たりフラグが発生しており）、かつ、所定態様である場合には、第２大入賞口２２２０を所定条件で開状態にするという第２特別遊技を実行するための第２特別遊技制御手段１１７２とを有している。
【００４６】
ここで、第１特別遊技制御手段１１７１は、第１特別遊技に移行するための条件を充足しているか否かを判定する第１条件判定手段１１７１ａと、前記条件を充足している場合に、第１特別遊技を実行するための第１特別遊技実行手段１１７１ｂと、第１特別遊技に関する各種処理の時間管理を行うための第１特別遊技時間管理手段１１７１ｃとを有している。また、第１特別遊技時間管理手段１１７１ｃは、時間を計測可能な第１特別遊技用タイマ１１７１ｃ−１を更に有している。
【００４７】
また、第２特別遊技制御手段１１７２は、第２特別遊技に移行するための条件を充足しているか否かを判定する第２条件判定手段１１７２ａと、前記条件を充足している場合に、第２特別遊技を実行するための第２特別遊技実行手段１１７２ｂと、第２特別遊技に関する各種処理の時間管理を行うための第２特別遊技時間管理手段１１７２ｃとを有している。また、第２特別遊技時間管理手段１１７２ｃは、時間を計測可能な第２特別遊技用タイマ１１７２ｃ−１を更に有している。
【００４８】
次に、特定遊技制御手段１１８０は、特定遊技状態の終了条件を充足しているか否かを判定する特定遊技終了条件判定手段１１８１を有している。ここで、特定遊技終了条件判定手段１１８１は、時短回数をカウント可能な時短回数カウンタ１１８１ａと、確率変動遊技状態時、変動の度に、確率変動遊技状態から通常遊技状態に転落抽選を行う転落抽選制御手段１１８１ｂとを更に有している。更に、転落抽選制御手段１１８１ｂは、転落抽選を行う際に参照される転落抽選参照テーブル１１８１ｂ−１を備えている。
【００４９】
ここで、本最良形態においては、時短回数は１００回であり、当該時短中には、非時短中と比較して、第１特別図柄及び第２特別図柄の変動時間が相対的に短縮される（時間短縮機能）。更に、普通図柄の変動時間も相対的に短縮されると共に、第１特図始動口２１１０の第１電動役物２１１２の開放延長時間が相対的に延長される（開放時間延長機能）。また、本最良形態における時短は、第１特別図柄の変動回数と第２特別図柄の変動回数の合計値が１００回を超えた場合に終了する。即ち、時短回数は、第１特別図柄及び第２特別図柄の変動（停止）毎に減算される。尚、上記の特定遊技終了条件判定手段１１８１は、例えば、回数制限付きの確率変動遊技において終了回数に到達したか否かを判定する機能を有していたり（回数制限付確率変動遊技機能を有するパチンコ遊技機の場合）、図柄変動の度に所定確率で特定遊技（例えば確率変動遊技や時間短縮遊技）から通常遊技への移行抽選を行う機能を有していてもよい（転落抽選機能を有するパチンコ遊技機の場合）。
【００５０】
次に、遊技状態一時記憶手段１１９０は、第１遊技における現在の遊技状態を一時記憶するための第１遊技状態一時記憶手段１１９１と、第２遊技における現在の遊技状態を一時記憶するための第２遊技状態一時記憶手段１１９２と、補助遊技における現在の遊技状態を一時記憶するための補助遊技状態一時記憶手段１１９３とを有している。
【００５１】
ここで、第１遊技状態一時記憶手段１１９１は、第１遊技に関する各種遊技状態における各種フラグのオンオフ情報を一時記憶するための第１フラグ一時記憶手段１１９１ａと、現在変動中の第１特別図柄（変動開始条件が成立した第１特別図柄）に係る停止図柄及び変動態様情報を一時記憶するための第１特図情報一時記憶手段１１９１ｂと、第１特別遊技に関する情報（ラウンド数、任意のラウンドにおける遊技球の入賞個数等）を一時記憶するための第１特別遊技関連情報一時記憶手段１１９１ｃとを有している。
【００５２】
また、第２遊技状態一時記憶手段１１９２は、第２遊技に関する各種遊技状態における各種フラグのオンオフ情報を一時記憶するための第２フラグ一時記憶手段１１９２ａと、現在変動中の第２特別図柄（変動開始条件が成立した第２特別図柄）に係る停止図柄及び変動態様情報を一時記憶するための第２特図情報一時記憶手段１１９２ｂと、第２特別遊技に関する情報（ラウンド数、任意のラウンドにおける遊技球の入賞個数等）を一時記憶するための第２特別遊技関連情報一時記憶手段１１９２ｃとを有している。
【００５３】
尚、本最良形態においては、第１遊技・第２遊技に共通するフラグ（確率変動フラグ等）も第１フラグ記憶手段１１９１ａ及び第２フラグ記憶手段１１９２ａの両方に記憶するように構成しているが、前記共通するフラグに関しては、これら遊技特有の記憶領域とは別に共通の記憶領域を設け当該記憶領域に記憶させるように構成してもよい。
【００５４】
また、補助遊技状態一時記憶手段１１９３は、補助遊技に関する情報（例えば、普通図柄当選フラグ・開放延長フラグ・時間短縮フラグ等の各種フラグのオンオフ情報）を一時記憶するための補助遊技関連情報一時記憶手段１１９３ａと、現在変動中の普通図柄（変動開始条件が成立した普通図柄）に係る停止図柄等の情報を一時記憶するための普図情報一時記憶手段１１９３ｂとを有している。
【００５５】
次に、遊技間調整手段１２００は、各種一時記憶手段（第１特図保留情報一時記憶手段１１３１ａ、第２特図保留情報一時記憶手段１１３２ａ、普図保留情報一時記憶手段１１３３ａ、遊技状態一時記憶手段１１９０）を参照することにより、現在の遊技状態を逐次確認する遊技状態確認手段１２１０と、第１遊技及び第２遊技の一方が特別遊技に移行した際に、他方の特別遊技の移行を回避するための作動回避制御手段１２２０と、各調整モードの実行処理や調整モードの切替処理等を実行するための調整モード制御手段１２３０とを有している。
【００５６】
尚、切替は、遊技者及び／又はホール側での操作により行われるように構成してもよい。或いは、所定条件を充足した場合に、自動的に切替が実行されるように構成してもよい。例えば、切替条件としては、第１特別図柄及び第２特別図柄が所定の変動態様（例えば、リーチ態様やスーパーリーチ態様）又は特定の停止図柄である場合；第１特別図柄及び第２特別図柄又は第１普通図柄及び第２普通図柄の変動回数が所定値に到達した場合；ある遊技状態（例えば、通常遊技状態、特別遊技状態、特定遊技状態）から、当該遊技状態とは遊技者の利益状態が異なる別の遊技状態（例えば、通常遊技状態、特別遊技状態、特定遊技状態）へ移行した場合；特別図柄の保留数の合計数が所定値に到達した場合；内蔵タイマが所定時間に到達した場合（例えば、夕方６時になるとモード切替が実行される）；遊技領域に設けられた所定の入球口へ遊技球が入球又は所定個数入球した場合；のいずれか又はこれらの組み合わせを挙げることができる。尚、当該条件は、図示しない入力手段により、遊技者及び／又はホール側で適宜変更可能に構成してもよい。
【００５７】
ここで、遊技状態確認手段１２１０は、第１調整モードにおける、第１特別図柄に係る保留と第２特別図柄に係る保留の解除順序を記憶するための保留順序一時記憶手段１２１１を更に有する。
【００５８】
また、作動回避制御手段１２２０は、第１遊技及び第２遊技の一方が特別遊技に移行したか否かを判定するための作動回避判定手段１２２１と、作動回避条件を充足した場合に作動回避処理を実行するための作動回避実行手段１２２２とを備えている。
【００５９】
ここで、作動回避実行手段１２２２は、第１遊技及び第２遊技の一方が特別遊技に移行した場合、当該特別遊技の間、他方の遊技に係る特別図柄の変動を禁止するための特図変動禁止手段１２２２ａと、第１遊技及び第２遊技の一方が特別遊技に移行した場合、当該特別遊技の間、他方の遊技に係る特別図柄の変動を一時停止するための特図変動タイマ一時停止手段１２２２ｂとを有している。
【００６０】
また、調整モード制御手段１２３０は、第１調整モード下で図柄変動が許可された場合、保留順序一時記憶手段１２１１を参照して、第１特別図柄と第２特別図柄のいずれを変動させるかを判定する直列モード図柄変動タイミング判定手段１２３１と、第１調整モードと第２調整モードとの切替条件を充足しているか否かを判定するための切替条件充足判定手段１２３２と、調整モード制御に関する情報を一時記憶するための調整モード関連情報一時記憶手段１２３３とを更に有している。
【００６１】
次に、遊技周辺機器２０００について説明する。尚、一部の周辺機器については既に詳細構成を述べたので、残る構成について簡潔に説明する。まず、遊技周辺機器２０００は、第１遊技側の周辺機器である第１遊技周辺機器２１００と、第２遊技側の周辺機器である第２遊技周辺機器２２００と、第１遊技側と第２遊技側の共用周辺機器である第１・第２遊技共用周辺機器２３００と、補助遊技に関する補助遊技周辺機器２４００とを有している。以下、これらの周辺機器を順番に説明する。
【００６２】
まず、第１遊技周辺機器２１００は、第１特別遊技移行の契機となる第１特図始動口２１１０と、通常遊技の際には閉状態にあり、第１特別遊技の際には所定条件下で開状態となる第１大入賞口２１２０と、第１特別図柄の停止表示及び変動表示が可能な第１特別図柄表示装置２１３０とを有している。
【００６３】
次に、第２遊技周辺機器２２００は、第２特別遊技移行の契機となる第２特図始動口２２１０と、通常遊技の際には閉状態にあり、第２特別遊技の際には所定条件下で開状態となる第２大入賞口２２２０と、第２特別図柄の停止表示及び変動表示が可能な第２特別図柄表示装置２２３０とを有している。
【００６４】
尚、本最良形態では、第１遊技用として第１大入賞口２１２０を割り振り、第２遊技用として第２大入賞口２２２０を割り振ったが、例えば、第１特別遊技又は第２特別遊技の際に、第１大入賞口２１２０と第２大入賞口２２２０の両方を使用してもよい。
【００６５】
次に、第１・第２遊技共用周辺機器２３００は、第１装飾図柄及び第２装飾図柄の停止表示及び変動表示や特別遊技中の遊技進行状況を示す表示を含め、第１演出及び第２演出に係る表示を行う演出表示装置２３１０と、第１演出や第２演出を含め、演出に係る一切の表示制御を司る演出表示制御手段２３２０とを有する。尚、第１演出及び第２演出は、第１特別図柄及び第２特別図柄の変動と時間的に同期の取れた形での第１装飾図柄及び第２装飾図柄の変動を含め、遊技の結果に影響を与えない情報のみの表示に係るものである。
【００６６】
ここで、演出表示制御手段２３２０は、主制御装置１０００側からの各種情報を受信するための表示情報受信手段２３２１と、主として、主制御装置１０００側からの前記情報に基づき、演出表示装置２３１０での演出表示制御を行う表示制御手段２３２３とを有している。以下、上記各手段を詳述する。
【００６７】
まず、表示情報受信手段２３２１は、主制御装置１０００側からの第１遊技及び第２遊技に関する図柄情報を一時記憶するためのメイン側情報一時記憶手段２３２１ａを有している。
【００６８】
次に、表示制御手段２３２３は、演出表示装置２３１０上での第１装飾図柄及び第２装飾図柄の変動表示や停止表示に関する制御を司る装飾図柄表示制御手段２３２３ａと、演出表示装置２３１０上での第１装飾図柄及び第２装飾図柄に係る保留情報の表示処理に関する一切の制御を司る装図保留情報表示制御手段２３２３ｂと、演出に関連した各種情報（例えば、変動中の装飾図柄に関する各種情報、各種フラグのオンオフ情報）を一時記憶するための演出表示関連情報一時記憶手段２３２３ｃと、第１装飾図柄と第２装飾図柄の変動・停止を時間管理するための図柄変動時間管理手段２３２３ｄとを有している。尚、表示制御手段２３２３は、その他にも、遊技効果ランプ１９０の点灯及び消灯や、スピーカ１１４からの音声出力等の演出処理といった、画像表示以外の演出に係る一切の制御を更に制御する。また、本最良形態においては、表示制御手段２３２３が、装飾図柄、遊技ランプ及び音声の制御を一体的に行なうように構成しているが、機能的に別個の周辺機器として分離するように構成してもよい。この場合、当該周辺機器同士を基板対基板コネクタで接続するように構成してもよい。以下、更に詳述する。
【００６９】
まず、装飾図柄表示制御手段２３２３ａは、第１装飾図柄の変動態様及び停止図柄（停止態様）を決定するための第１装飾図柄表示制御手段２３２３ａ−１と、第２装飾図柄の変動態様及び停止図柄（停止態様）を決定するための第２装飾図柄表示制御手段２３２３ａ−２とを有している。ここで、第１装飾図柄表示制御手段２３２３ａ−１は、メイン側情報一時記憶手段２３２１ａ内に一時記憶された主制御装置１０００側からの図柄情報に基づき、第１装飾図柄の停止図柄（停止態様）と変動態様を決定するための第１装図表示内容決定手段２３２３ａ−１−１と、第１装飾図柄や第１装飾図柄の変動態様に関するデータを記憶するための第１装図変動態様記憶手段２３２３ａ−１−２とを更に有している。ここで、第１装図表示内容決定手段２３２３ａ−１−１は、第１装飾図柄の変動態様を決定する際に参照するための第１装図変動内容決定用参照テーブル２３２３ａ−１−１−１を更に有している。
【００７０】
また、第２装飾図柄表示制御手段２３２３ａ−２は、メイン側情報一時記憶手段２３２１ａ内に一時記憶された主制御装置１０００側からの図柄情報に基づき、第２装飾図柄の停止図柄（停止態様）と変動態様を決定するための第２装図表示内容決定手段２３２３ａ−２−１と、第２装飾図柄や第２装飾図柄の変動態様に関するデータを記憶するための第２装図変動態様記憶手段２３２３ａ−２−２とを更に有している。ここで、第２装図表示内容決定手段２３２３ａ−２−１は、第１装飾図柄の変動態様を決定する際に参照するための第２装図変動内容決定用参照テーブル２３２３ａ−２−１−１を更に有している。
【００７１】
ここで、第１装図変動内容決定用参照テーブル２３２３ａ−１−１−１及び第２装図変動内容決定用参照テーブル２３２３ａ−２−１−１は、例えば、メイン側の第１特図内容決定用抽選テーブル１１４１ａ及び第２特図内容決定用抽選テーブル１１４２ａと夫々対応した内容が構築されている。具体的には、第１装飾図柄に係る第１装図変動内容決定用参照テーブル２３２３ａ−１−１−１は、第１特別図柄に係る、（１）通常遊技時に参照される、メイン側の第１特図通常遊技状態用抽選テーブル１１４１ａ−１に対応したテーブル、（２）確率変動遊技時に参照される、第１特図確率変動遊技状態用抽選テーブル１１４１ａ−２に対応したテーブル、（３）時間短縮遊技時に参照される、第１特図時間短縮遊技状態用抽選テーブル１１４１ａ−３に対応したテーブル、（４）転落時遊技時に参照される、第１特図転落変動時抽選テーブル１１４１ａ−４に対応したテーブル、（５）他方転落時遊技時に参照される、他方特図転落変動時抽選テーブル１１４１ａ−５に対応したテーブル、を有している。また、第２装飾図柄に係る第２装図変動内容決定用参照テーブル２３２３ａ−２−１−１は、第２特別図柄に係る、（１）通常遊技時に参照される、メイン側の第２特図通常遊技状態用抽選テーブル１１４２ａ−１に対応したテーブル、（２）確率変動遊技時に参照される、第１特図確率変動遊技状態用抽選テーブル１１４２ａ−２に対応したテーブル、（３）時間短縮遊技時に参照される、第２特図時間短縮遊技状態用抽選テーブル１１４２ａ−３に対応したテーブル、（４）転落時遊技時に参照される、第２特図転落変動時抽選テーブル１１４２ａ−４に対応したテーブル、（５）他方転落時遊技時に参照される、他方特図転落変動時抽選テーブル１１４２ａ−５に対応したテーブル、を有している。
【００７２】
尚、上記「タイプ１」の場合、即ち、他方の図柄変動により遊技状態が転落したことを報知する変動態様を実行する場合には、別段メイン側で他方転落変動時抽選テーブルを保有している必要は必ずしもなく、サブ側のみで当該他方転落変動時抽選テーブルを保有していても、遊技者に対して他方の変動に基づく転落を告知乃至は示唆することが可能である。他方、上記「タイプ２」の場合、即ち、当該転落抽選に係る他方の図柄変動が実行されている間だけ、実質的に遊技者の利益状態が変わる変動態様を実行する場合には、別段サブ側で他方転落変動時抽選テーブルを保有している必要は必ずしもなく、メイン側のみで当該他方転落変動時抽選テーブルを保有していればよい。
【００７３】
次に、装図保留情報表示制御手段２３２３ｂは、第１装飾図柄の保留球数の表示制御を司る第１装図保留情報表示制御手段２３２３ｂ−１と、第２装飾図柄の保留球数の表示制御を司る第２装図保留情報表示制御手段２３２３ｂ−２とを有している。ここで、第１装図保留情報表示制御手段２３２３ｂ−１は、第１装飾図柄の保留球数を一時記憶するための第１装図保留情報一時記憶手段２３２３ｂ−１−１を更に有している。また、第２装図保留情報表示制御手段２３２３ｂ−２は、第２装飾図柄の保留球数を一時記憶するための第２装図保留情報一時記憶手段２３２３ｂ−２−１を更に有している。
【００７４】
次に、図柄変動時間管理手段２３２３ｄは、第１装飾図柄の変動・停止を時間管理するための第１図柄変動時間管理手段２３２３ｄ−１と、第２装飾図柄の変動・停止を時間管理するための第２図柄変動時間管理手段２３２３ｄ−２とを有している。ここで、第１図柄変動時間管理手段２３２３ｄ−１は、第１装飾図柄の変動時間をカウントする第１装図用タイマ２３２３ｄ−１−１を有している。また、第２図柄変動時間管理手段２３２３ｄ−２は、第２装飾図柄の変動時間をカウントする第２装図用タイマ２３２３ｄ−２−１を有している。
【００７５】
最後に、補助遊技周辺機器２４００は、第１特図始動口２１１０の第１電動役物２１１２の開放の契機となる普図入賞口２４１０と、普通図柄の停止表示及び変動表示が可能な普通図柄表示装置２４２０とを有している。
【００７６】
尚、第１特別図柄表示装置２１３０、第２特別図柄表示装置２２３０及び普通図柄表示装置２４２０が、主制御装置１０００と情報伝達可能に接続されており、残る演出表示装置２３１０が、演出表示制御手段２３２０と情報伝達可能に接続されている。即ち、第１特別図柄表示装置２１３０、第２特別図柄表示装置２２３０及び普通図柄表示装置２４２０は、主制御装置１０００により制御され、演出表示装置２３１０は、演出表示制御手段２３２０により制御されることを意味する。尚、主制御装置１０００と片方向通信により制御される他の周辺機器を介して、別の周辺機器を制御するように構成してもよい。
【００７７】
次に、本最良形態（タイプＡ）に係る処理の流れを説明する。まず、図４は、主制御装置１０００が行う一般的な処理の流れを示したメインフローチャートである。図４に示すように、まず、ステップ１０で、主制御装置１０００は、第１特別遊技及び第２特別遊技移行に係る始動口（間接的に寄与する普図始動口も含む）への入賞に関する処理を行う入賞処理１０を実行する。次に、ステップ１２で、主制御装置１０００は、第１特別遊技中でも第２特別遊技中でもないか否か｛即ち、特別遊技関連フラグ（特別遊技移行許可フラグ、特別遊技実行フラグ）がオフであるか否か｝を判定する。ステップ１２でＹｅｓの場合、ステップ１４で、主制御装置１０００は、通常遊技制御処理を実行し、ステップ１００００に移行する。他方、ステップ１２でＮｏの場合、ステップ１６で、主制御装置１０００は、特別遊技制御処理を実行し、ステップ１００００に移行する。そして、ステップ１００００で、主制御装置１０００は、現在の遊技状態（通常遊技状態、確率変動遊技状態、時間短縮遊技状態）を表示する状態表示灯点灯処理を実行する。次に、ステップ５０００で、主制御装置１０００（特に賞球払出決定手段１４００）は、遊技球が入賞した入賞口に基づき、賞球払出装置３０００を駆動して所定の賞球数の払出処理を行い、再びステップ１０に戻る。
【００７８】
次に、図５は、図４におけるステップ１０のサブルーチンに係る、入賞処理のフローチャートである。まず、ステップ１１００で、主制御装置１０００は、普通図柄当選乱数取得処理を実行する。そして、ステップ１３００で、主制御装置１０００は、特別遊技内容決定乱数取得処理を実行する。
【００７９】
次に、図６は、図５におけるステップ１１００のサブルーチンに係る、普通図柄当選乱数取得処理のフローチャートである。まず、ステップ１１０２で、普図始動口入球判定手段１１１３は、普図入賞口２４１０に遊技球が入球（流入、通過）したか否かを判定する。ステップ１１０２でＹｅｓの場合、ステップ１１０４で、普図抽選手段１１２３は、普図保留情報一時記憶手段１１３３ａを参照し、保留球が上限（例えば４個）でないか否かを判定する。ステップ１１０４でＹｅｓの場合、ステップ１１０６で、普図抽選手段１１２３は、普通図柄当選乱数を取得する。次に、ステップ１１０８で、普図保留手段１１３３は、何個目の保留であるかという情報と共に、当該乱数を普図保留情報一時記憶手段１１３３ａにセットする形で保留球を１加算し、次の処理（特別遊技内容決定乱数取得処理１３００）に移行する。尚、ステップ１１０２及びステップ１１０４でＮｏの場合も、次の処理（特別遊技内容決定乱数取得処理１３００）に移行する。
【００８０】
次に、図７は、図５におけるステップ１３００のサブルーチンに係る、特別遊技内容決定乱数取得処理のフローチャートである。まず、ステップ１３０２で、第１特図始動口入球判定手段１１１１は、第１特図始動口２１１０の第１入球検出装置２１１１から第１特図始動口入球情報を受信したか否かを判定する。ステップ１３０２でＹｅｓの場合、ステップ１３０４で、第１特図抽選手段１１２１は、第１特図保留情報一時記憶手段１１３１ａを参照し、保留球が上限（例えば４個）でないか否かを判定する。ステップ１３０４でＹｅｓの場合、ステップ１３０６で、第１特図抽選手段１１２１は、遊技内容決定乱数（第１乱数）を取得する。そして、ステップ１３０８で、遊技状態確認手段１２１０は、調整モード関連情報一時記憶手段１２３３を参照することにより、現在の遊技状態が第１調整モードであるか否かを確認する。ステップ１３０８でＹｅｓの場合、ステップ１３０９で、遊技間調整手段１２００は、第１特図保留情報一時記憶手段１１３１ａ及び第２特図保留情報一時記憶手段１１３２ａの保留数を踏まえ、これらの保留が解除された後に解除されるよう、第１特図保留情報一時記憶手段１１３１ａにリンク解除（入賞）順序を保留順序一時記憶手段１２１１に記憶する。例えば、第１特図保留情報一時記憶手段１１３１ａに３個保留されており第２特図保留情報一時記憶手段１１３２ａに２個保留されている状況で新たに第１特図始動口２１１０に入賞した場合には、当該入賞に対して「６番目」という入賞順序が保留順序一時記憶手段１２１１に記憶されることになる。他方、ステップ１３０８でＮｏの場合には、ステップ１３０９をスキップする。次に、ステップ１３１２で、第１特図保留手段１１３１は、当該遊技内容決定乱数を第１特図保留情報一時記憶手段１１３１ａに記憶する。次に、ステップ１３１４で、第２特図始動口入球判定手段１１１２は、第２特図始動口２２１０の第２入球検出装置２２１１から第２特図始動口入球情報を受信したか否かを判定する。ステップ１３１４でＹｅｓの場合、ステップ１３１６で、第２特図抽選手段１１２２は、第２特図保留情報一時記憶手段１１３２ａを参照し、保留球が上限（例えば４個）でないか否かを判定する。ステップ１３１６でＹｅｓの場合、ステップ１３１８で、第２特図抽選手段１１２２は、遊技内容決定乱数（第２乱数）を取得する。そして、ステップ１３２０で、遊技状態確認手段１２１０は、調整モード関連情報一時記憶手段１２３３を参照することにより、現在の遊技状態が第１調整モードであるか否かを確認する。ステップ１３２０でＹｅｓの場合、ステップ１３２１で、遊技間調整手段１２００は、第１特図保留情報一時記憶手段１１３１ａ及び第２特図保留情報一時記憶手段１１３２ａの保留数を踏まえ、これらの保留が解除された後に解除されるよう、保留順序一時記憶手段１２１１にリンク解除（入賞）順序を記憶する。例えば、第１特図保留情報一時記憶手段１１３１ａに３個保留されており第２特図保留情報一時記憶手段１１３２ａに２個保留されている状況で新たに第２特図始動口２２１０に入賞した場合には、当該入賞に対して「６番目」という入賞順序が保留順序一時記憶手段１２１１に記憶されることになる。他方、ステップ１３２０でＮｏの場合には、ステップ１３２１をスキップする。次に、ステップ１３２４で、第２特図保留手段１１３２は、当該遊技内容決定乱数を第２特図保留情報一時記憶手段１１３２ａに記憶し、次の処理（ステップ１２）に移行する。尚、ステップ１３０２及びステップ１３０４でＮｏの場合にはステップ１３１４に移行し、ステップ１３１４及びステップ１３１６でＮｏの場合には次の処理（ステップ１２）に移行する。
【００８１】
次に、図８は、図４におけるステップ１４のサブルーチンに係る、通常遊技制御処理のフローチャートである。まず、ステップ１７００で、主制御装置１０００は、後述する調整モード切替処理を実行する。次に、ステップ１００で、遊技状態確認手段１２１０は、調整モード関連情報一時記憶手段１２３３を参照することにより、現在の遊技状態が第１調整モードであるか否かを確認する。ステップ１００でＹｅｓの場合、ステップ１０２で、遊技状態確認手段１２１０は、第１遊技状態一時記憶手段１１９１及び第２遊技状態一時記憶手段１１９２を参照することにより、現在の遊技状態を確認すると共に、直列モード図柄変動タイミング判定手段１２３１は、当該確認情報を踏まえ、第１図柄の変動タイミングに到達したか否かを判定する。ステップ１０２でＹｅｓの場合、ステップ１４００（１）で、主制御装置１０００は、後述の第１特別図柄表示処理を実行し、ステップ１５００に移行する。他方、ステップ１０２でＮｏの場合、ステップ１４００（２）で、主制御装置１０００は、後述の第２特別図柄表示処理を実行し、ステップ１５００に移行する。
【００８２】
他方、ステップ１００でＮｏの場合、即ち、第２調整モードである場合には、ステップ１４００（３）で、主制御装置１０００は、後述の第１特別図柄表示処理を実行する。そして、ステップ１４００（４）で、主制御装置１０００は、後述の第２特別図柄表示処理を実行し、ステップ１５００に移行する。
【００８３】
次に、ステップ１５００で、主制御装置１０００は、後述の特別遊技作動条件判定処理を実行する。次に、ステップ１２００で、主制御装置１０００は、後述の電チュー駆動判定処理を実行し、次の処理（状態表示灯点灯処理１００００）に移行する。
【００８４】
次に、図９は、図８におけるステップ１７００のサブルーチンに係る、調整モード切替処理のフローチャートである。まず、ステップ１７０２で、遊技状態確認手段１２１０は、第１遊技状態一時記憶手段１１９１及び第２遊技状態一時記憶手段１１９２を参照することにより、現在の遊技状態を確認すると共に、切替条件充足判定手段１２３２は、当該確認情報を踏まえ、切替条件を充足しているか否かを判定する。ステップ１７０２でＹｅｓの場合、ステップ１７０４で、調整モード制御手段１２３０は、調整モード関連情報一時記憶手段１２３３を参照し、切り替えるべき調整モードが第１調整モードであるか否かを判定する。ステップ１７０４でＹｅｓの場合、ステップ１７０５で、遊技状態確認手段１２１０は、第１特図変動管理用タイマ１１５１ａ−１及び第２特図変動管理用タイマ１１５２ａ−１を参照することにより、切替タイミング（いずれか一方の図柄変動が停止）に到達したか否かを判定する。ステップ１７０５でＹｅｓの場合、ステップ１７０６で、調整モード制御手段１２３０は、調整モード関連情報一時記憶手段１２３３中に記憶されていた調整モードを第１調整モードに書き換えることにより、調整モードを第１調整モードに切替える。そして、ステップ１７０８で、遊技状態確認手段１２１０が、第１特図保留情報一時記憶手段１１３１ａ及び第２特図保留情報一時記憶手段１１３２ａを参照することにより、夫々に記憶されている保留数情報を取得した後、調整モード制御手段１２３０が、前記保留数情報を踏まえてリンク解除順序をセットし（例えば機械的に交互に割り振る形でセットし）、次の処理（ステップ１００）に移行する。例えば、第１特図保留情報一時記憶手段１１３１ａに保留球が４個あり、第２特図保留情報一時記憶手段１１３２ａに保留球が２個ある場合には、第１図柄変動→第２図柄変動→第１図柄変動→第２図柄変動→第１図柄変動→第１図柄変動、といった具合に、まずは交互に解除し一方の保留が無くなった場合に他方の保留を解除する順序をセットする。
【００８５】
他方、ステップ１７０４でＮｏの場合、ステップ１７１０で、調整モード制御手段１２３０は、調整モード関連情報一時記憶手段１２３３中に記憶されていた調整モードを第２調整モードに書き換えることにより、調整モードを第２調整モードに切替える。そして、ステップ１７１２で、調整モード制御手段１２３０は、保留順序一時記憶手段１２１１に記憶されているリンク解除順序をリセットし、次の処理（ステップ１００）に移行する。尚、ステップ１７０２及び１７０５でＮｏの場合にも、次の処理（ステップ１００）に移行する。
【００８６】
次に、図１０は、図８におけるステップ１４００（１）｛ステップ１４００（２）｝のサブルーチンに係る、第一調整モード（直列：擬似通常遊技状態）における第１特別図柄表示処理（第２特別図柄表示処理）のフローチャートである。まず、ステップ１４０２で、第１特図内容決定手段１１４１（第２特図内容決定手段１１４２）は、変動開始条件が成立しているか否かを判定する。
【００８７】
ここで、この変動開始条件は、特別遊技中や図柄変動中でないことに加え、当該調整モード（第一調整モード）においては、調整モード制御手段１２３０からの図柄変動開始許可が下りていることが条件となる。即ち、調整モード制御手段１２３０が、保留順序一時記憶手段１２１１を参照し、今回の保留解除が第１特別図柄及び第２特別図柄のいずれに係るものであるかを確認し、当該確認情報に基づき、第１特図内容決定手段１１４１又は第２特図内容決定手段１１４２に変動開始許可コマンドを送信する。
【００８８】
ステップ１４０２でＹｅｓの場合、ステップ１４０４で、第１特図内容決定手段１１４１（第２特図内容決定手段１１４２）は、第１フラグ一時記憶手段１１９１ａ（第２フラグ一時記憶手段１１９２ａ）を参照して、確率変動フラグがオンであるか否かを判定する。ステップ１４０４でＹｅｓの場合、ステップ１４７０で、転落抽選制御手段１１８１ｂは、取得した遊技内容決定乱数のうち転落抽選乱数に基づき、転落抽選テーブル１１８１ｂ−１を参照して転落抽選を行う。そして、ステップ１４７２で、転落抽選制御手段１１８１ｂは、抽選の結果として転落しなかったことが決定されたか否かを判定する。ステップ１４７２でＹｅｓの場合、ステップ１４０６で、第１特図内容決定手段１１４１（第２特図内容決定手段１１４２）は、参照テーブルとして第１特図確率変動遊技状態用抽選テーブル１１４１ａ−２（第２特図確率変動遊技状態用抽選テーブル１１４２ａ−２）をセットし、ステップ１４１６に移行する。
【００８９】
他方、ステップ１４７２でＮｏの場合、即ち、転落することが決定された場合、ステップ１４７４で、特定遊技制御手段１１８０は、第１フラグ一時記憶手段１１９１ａ及び第２フラグ一時記憶手段１１９２ａにアクセスし、確率変動フラグをオフにする。そして、ステップ１４７６で、第１特図内容決定手段１１４１（第２特図内容決定手段１１４２）は、参照テーブルとして第１特図転落変動時用抽選テーブル１１４１ａ−４（第２特図転落変動時用抽選テーブル１１４２ａ−４）をセットし、ステップ１４１６に移行する。
【００９０】
他方、ステップ１４０４でＮｏの場合、即ち、確率変動フラグがオフである場合には、ステップ１４０８で、第１特図内容決定手段１１４１（第２特図内容決定手段１１４２）は、第１フラグ一時記憶手段１１９１ａ（第２フラグ一時記憶手段１１９２ａ）を参照して、時間短縮フラグがオンであるか否かを判定する。ステップ１４０８でＹｅｓの場合、ステップ１４１０で、第１特図内容決定手段１１４１（第２特図内容決定手段１１４２）は、参照テーブルとして第１特図時間短縮遊技状態用抽選テーブル１１４１ａ−３（第２特図時間短縮遊技状態用抽選テーブル１１４２ａ−３）をセットし、ステップ１４１６に移行する。
【００９１】
他方、ステップ１４０８でＮｏの場合、ステップ１４１２で、第１特図内容決定手段１１４１（第２特図内容決定手段１１４２）は、参照テーブルとして第１特図通常遊技状態用抽選テーブル１１４１ａ−１（第２特図通常遊技状態用抽選テーブル１１４２ａ−１）をセットし、ステップ１４１６に移行する。
【００９２】
次に、ステップ１４１６で、第１特図内容決定手段１１４１（第２特図内容決定手段１１４２）は、セットした各抽選テーブルを参照し、今回の図柄変動に係る遊技内容決定乱数（例えば、当選乱数及び特別図柄決定乱数）に基づいて特別図柄に関する停止図柄を決定すると共に、遊技内容決定乱数（例えば、当選乱数及び変動態様決定乱数）に基づいて特別図柄の変動態様を決定し、これらを第１特図情報一時記憶手段１１９１ｂ（第２特図情報一時記憶手段１１９２ｂ）に一時記憶する。そして、ステップ１４１７で、遊技制御手段１１００は、抽選結果が当たりか否かを判定する。ステップ１４１７でＹｅｓの場合、ステップ１４１８で、遊技制御手段１１００は、第１フラグ一時記憶手段１１９１ａ（第２フラグ一時記憶手段１１９２ａ）中の当たりフラグをオンにする。他方、ステップ１４１７でＮｏの場合には、ステップ１４１８をスキップする。次に、ステップ１４１９で、情報送信手段１３００は、ステップ１４１６で決定した特別図柄に関する図柄情報（停止図柄情報、停止図柄の属性情報、変動態様情報等）及び現在の遊技状態を演出表示制御手段２３２０側に送信する。次に、ステップ１４２０で、第１特図変動時間管理手段１１５１ａ（第２特図変動時間管理手段１１５２ａ）が、所定時間（前記ステップ１４１６で決定した変動態様に係る変動時間）を第１特図変動管理用タイマ１１５１ａ−１（第２特図変動管理用タイマ１１５２ａ−１）にセットする。そして、ステップ１４２２で、第１特図制御手段１１５１（第２特図制御手段１１５２）は、第１特別図柄表示装置２１３０（第２特別図柄表示装置２２３０）の第１特図表示部２１３１（第２特図表示部２２３１）上で、第１特図情報一時記憶手段１１９１ｂ（第２特図情報一時記憶手段１１９２ｂ）に記憶された変動態様に従い、特別図柄の変動表示を開始する。次に、ステップ１４４６で、第１特図制御手段１１５１（第２特図制御手段１１５２）は、第１フラグ一時記憶手段１１９１ａ（第２フラグ一時記憶手段１１９２ａ）中の変動中フラグをオンする。そして、ステップ１４３４で、第１特図変動時間管理手段１１５１ａ（第２特図変動時間管理手段１１５２ａ）が、前記所定時間に到達したか否かを判定する。ここで、ステップ１４３４でＮｏの場合には、次の処理（ステップ１５００の特別遊技作動条件判定処理）に移行する。他方、ステップ１４３４でＹｅｓの場合、ステップ１４３６で、情報送信手段１３００は、所定時間に到達した旨のコマンドを演出表示制御手段２３２０側に送信する。次に、ステップ１４３８で、第１特図制御手段１１５１（第２特図制御手段１１５２）は、第１特別図柄表示装置２１３０（第２特別図柄表示装置２２３０）の第１特図表示部２１３１（第２特図表示部２２３１）上での特別図柄の変動表示を停止し、第１特図情報一時記憶手段１１９１ｂ（第２特図情報一時記憶手段１１９２ｂ）に記憶されている停止図柄を確定停止図柄として表示制御する。次に、ステップ１４４０で、第１特図制御手段１１５１（第２特図制御手段１１５２）は、第１フラグ一時記憶手段１１９１ａ（第２フラグ一時記憶手段１１９２ａ）中の変動中フラグをオフにする。そして、ステップ１４４２で、第１特図変動時間管理手段１１５１ａ（第２特図変動時間管理手段１１５２ａ）は、第１特図変動管理用タイマ１１５１ａ−１（第２特図変動管理用タイマ１１５２ａ−１）をリセットする。次に、ステップ１４５０で、主制御装置１０００は、後述の特定遊技終了判定処理を実行し、次の処理（ステップ１５００の特別遊技作動条件判定処理）に移行する。
【００９３】
尚、ステップ１４０２でＮｏの場合には、ステップ１４４４で、第１特図制御手段１１５１（第２特図制御手段１１５２）は、第１フラグ一時記憶手段１１９１ａ（第２フラグ一時記憶手段１１９２ａ）を参照し、変動中フラグがオンであるか否かを判定する。ステップ１４４４でＹｅｓの場合にはステップ１４３４に移行し、Ｎｏの場合には次の処理（ステップ１５００の特別遊技作動条件判定処理）に移行する。
【００９４】
次に、図１１は、図８におけるステップ１４００（３）Ａ｛ステップ１４００（４）Ａ｝のサブルーチンに係る、第二調整モード（並列：擬似確率変動遊技状態）における第１特別図柄表示処理（第２特別図柄表示処理）のフローチャートである。まず、ステップ１４０２Ａで、第１特図内容決定手段１１４１（第２特図内容決定手段１１４２）は、変動開始条件が成立しているか否かを判定する。
【００９５】
ここで、この変動開始条件は、特別遊技中でないことと、第１特別図柄（第２特別図柄）の変動開始に関しては第１特別図柄（第２特別図柄）の変動中でないことのみである。即ち、第１調整モードと異なり、第１特別図柄（第２特別図柄）の変動開始に際し、第２特別図柄（第１特別図柄）が変動中であることは変動開始制限条件にはならない。
【００９６】
次に、ステップ１４０２ＡでＹｅｓの場合、ステップ１４６８Ａで、第１特図内容決定手段１１４１（第２特図内容決定手段１１４２）は、第２フラグ一時記憶手段１１９２ａ（第１フラグ一時記憶手段１１９１ａ）を参照し、転落変動フラグがオフであるか否か、即ち、他方の特図表示部で「転落時変動」を現在実行中でないか否かを判定する。ステップ１４６８ＡでＹｅｓの場合、ステップ１４０４Ａで、第１特図内容決定手段１１４１（第２特図内容決定手段１１４２）は、第１フラグ一時記憶手段１１９１ａ（第２フラグ一時記憶手段１１９２ａ）を参照して、確率変動フラグがオンであるか否かを判定する。ステップ１４０４ＡでＹｅｓの場合、ステップ１４７０Ａで、転落抽選制御手段１１８１ｂは、取得した遊技内容決定乱数のうち転落抽選乱数に基づき、転落抽選テーブル１１８１ｂ−１を参照して転落抽選を行う。そして、ステップ１４７２Ａで、転落抽選制御手段１１８１ｂは、抽選の結果として転落しなかったことが決定されたか否かを判定する。ステップ１４７２ＡでＹｅｓの場合、ステップ１４０６Ａで、第１特図内容決定手段１１４１（第２特図内容決定手段１１４２）は、参照テーブルとして第１特図確率変動遊技状態用抽選テーブル１１４１ａ−２（第２特図確率変動遊技状態用抽選テーブル１１４２ａ−２）をセットし、ステップ１４１６Ａに移行する。
【００９７】
ここで、ステップ１４６８ＡでＮｏの場合、即ち、他方の転落変動フラグがオンである場合には、第１特図内容決定手段１１４１（第２特図内容決定手段１１４２）は、参照テーブルとして他方特図転落変動時用抽選テーブル１１４１ａ−５（他方特図転落変動時用抽選テーブル１１４２ａ−５）をセットし、ステップ１４１６Ａに移行する。
【００９８】
また、ステップ１４７２ＡでＮｏの場合、即ち、転落することが決定された場合には、ステップ１４７４Ａで、特定遊技制御手段１１８０は、第１フラグ一時記憶手段１１９１ａ及び第２フラグ一時記憶手段１１９２ａにアクセスし、確率変動フラグをオフにする。そして、ステップ１４７５Ａで、第１特図内容決定手段１１４１（第２特図内容決定手段１１４２）は、第１フラグ一時記憶手段１１９１ａ（第２フラグ一時記憶手段１１９２ａ）にアクセスし、転落変動フラグをオンにする。次に、ステップ１４７６Ａで、第１特図内容決定手段１１４１（第２特図内容決定手段１１４２）は、参照テーブルとして第１特図転落変動時用抽選テーブル１１４１ａ−４（第２特図転落変動時用抽選テーブル１１４２ａ−４）をセットし、ステップ１４１６Ａに移行する。
【００９９】
他方、ステップ１４０４ＡでＮｏの場合、ステップ１４０８Ａで、第１特図内容決定手段１１４１（第２特図内容決定手段１１４２）は、第１フラグ一時記憶手段１１９１ａ（第２フラグ一時記憶手段１１９２ａ）を参照して、時間短縮フラグがオンであるか否かを判定する。ステップ１４０８ＡでＹｅｓの場合、ステップ１４１０Ａで、第１特図内容決定手段１１４１（第２特図内容決定手段１１４２）は、参照テーブルとして第１特図時間短縮遊技状態用抽選テーブル１１４１ａ−３（第２特図時間短縮遊技状態用抽選テーブル１１４２ａ−３）をセットし、ステップ１４１６Ａに移行する。
【０１００】
他方、ステップ１４０８ＡでＮｏの場合、ステップ１４１２Ａで、第１特図内容決定手段１１４１（第２特図内容決定手段１１４２）は、参照テーブルとして第１特図通常遊技状態用抽選テーブル１１４１ａ−１（第２特図通常遊技状態用抽選テーブル１１４２ａ−１）をセットし、ステップ１４１６Ａに移行する。
【０１０１】
次に、ステップ１４１６Ａで、第１特図内容決定手段１１４１（第２特図内容決定手段１１４２）は、セットした各抽選テーブルを参照し、遊技内容決定乱数（例えば、当選乱数及び特別図柄決定乱数）に基づいて特別図柄に関する停止図柄を決定すると共に、遊技内容決定乱数（例えば、当選乱数及び変動態様決定乱数）に基づいて特別図柄の変動態様を決定し、これらを第１特図情報一時記憶手段１１９１ｂ（第２特図情報一時記憶手段１１９２ｂ）に一時記憶する。そして、ステップ１４１７Ａで、遊技制御手段１１００は、抽選結果が当たりか否かを判定する。ステップ１４１７ＡでＹｅｓの場合、ステップ１４１８Ａで、遊技制御手段１１００は、第１フラグ一時記憶手段１１９１ａ（第２フラグ一時記憶手段１１９２ａ）中の当たりフラグをオンにする。他方、ステップ１４１７ＡでＮｏの場合には、ステップ１４１８Ａをスキップする。次に、ステップ１４１９Ａで、情報送信手段１３００が、ステップ１４１６Ａで決定した特別図柄に関する図柄情報（停止図柄情報、停止図柄の属性情報、変動態様情報等）及び現在の遊技状態を演出表示制御手段２３２０側に送信する。次に、ステップ１４２０Ａで、第１特図変動時間管理手段１１５１ａ（第２特図変動時間管理手段１１５２ａ）が、所定時間（前記ステップ１４１６Ａで決定した変動態様に係る変動時間）を第１特図変動管理用タイマ１１５１ａ−１（第２特図変動管理用タイマ１１５２ａ−１）にセットする。そして、ステップ１４２２Ａで、第１特図制御手段１１５１（第２特図制御手段１１５２）は、第１特別図柄表示装置２１３０（第２特別図柄表示装置２２３０）の第１特図表示部２１３１（第２特図表示部２２３１）上で、第１特図情報一時記憶手段１１９１ｂ（第２特図情報一時記憶手段１１９２ｂ）に記憶された変動態様に従い、特別図柄の変動表示を開始する。次に、ステップ１４４６Ａで、第１特図制御手段１１５１（第２特図制御手段１１５２）は、第１フラグ一時記憶手段１１９１ａ（第２フラグ一時記憶手段１１９２ａ）中の変動中フラグをオンにする。
【０１０２】
ここで、以下の処理を詳述する前に、第２調整モードにおける本タイプＡの特徴である、タイマ一時停止処理の概要を説明する。当該処理は、第２（第１）特別遊技実行中に、第１（第２）特別図柄変動に係るタイマを一時停止させることにより、第２（第１）特別遊技実行中における第１（第２）特別遊技への移行を防止するものである。即ち、第２（第１）特別遊技実行中は、第１（第２）特別図柄が変動し続ける。
【０１０３】
そこで、フローチャートに戻ると、ステップ１４２４Ａで、遊技状態確認手段１２１０は、第１フラグ一時記憶手段１１９１ａ及び第２フラグ一時記憶手段１１９２ａを参照することにより、現在特別遊技関連フラグ（例えば、特別遊技移行許可フラグ、特別遊技実行フラグ）がオフであるか否か、即ち、現在第２（第１）特別遊技が実行中でないか否かを確認する。
【０１０４】
ステップ１４２４ＡでＹｅｓの場合、ステップ１４２６Ａで、遊技状態確認手段１２１０は、第１特図変動管理用タイマ１１５１ａ−１（第２特図変動管理用タイマ１１５２ａ−１）を更に参照することにより、現在特別図柄変動タイマが停止中であるか否かを確認する。ステップ１４２６ＡでＹｅｓの場合、ステップ１４２８Ａで、特図変動タイマ一時停止手段１２２２ｂは、一時停止中であった第１特図変動管理用タイマ１１５１ａ−１（第２特図変動管理用タイマ１１５２ａ−１）をオンにする。そして、ステップ１４２９Ａで、情報送信手段１３００は、演出表示制御手段２３２０側に図柄変動の再開信号を送信し、ステップ１４３４Ａに移行する。
【０１０５】
他方、ステップ１４２４ＡでＮｏの場合、ステップ１４３０Ａで、遊技状態確認手段１２１０は、第１特図変動管理用タイマ１１５１ａ−１（第２特図変動管理用タイマ１１５２ａ−１）を更に参照することにより、現在特別図柄変動タイマが動作中であるか否かを確認する。ステップ１４３０ＡでＹｅｓの場合、ステップ１４３２Ａで、特図変動タイマ一時停止手段１２２２ｂは、動作中の第１特図変動管理用タイマ１１５１ａ−１（第２特図変動管理用タイマ１１５２ａ−１）を一時停止状態にする。そして、ステップ１４３３Ａで、情報送信手段１３００は、演出表示制御手段２３２０側に図柄変動の一時停止信号を送信し、ステップ１４３４Ａに移行する。尚、ステップ１４２６Ａ及びステップ１４３０ＡでＮｏの場合にもステップ１４３４Ａに移行する。
【０１０６】
次に、ステップ１４３４Ａで、第１特図変動時間管理手段１１５１ａ（第２特図変動時間管理手段１１５２ａ）が、前記所定時間に到達したか否かを判定する。ここで、ステップ１４３４ＡでＮｏの場合には、次の処理（ステップ１５００の特別遊技作動条件判定処理）に移行する。他方、ステップ１４３４ＡでＹｅｓの場合、ステップ１４３６Ａで、情報送信手段１３００は、所定時間に到達した旨のコマンドを演出表示制御手段２３２０側に送信する。次に、ステップ１４３８Ａで、第１特図制御手段１１５１（第２特図制御手段１１５２）は、第１特別図柄表示装置２１３０（第２特別図柄表示装置２２３０）の第１特図表示部２１３１（第２特図表示部２２３１）上での特別図柄の変動表示を停止し、第１特図情報一時記憶手段１１９１ｂ（第２特図情報一時記憶手段１１９２ｂ）に記憶されている停止図柄を確定停止図柄として表示制御する。次に、ステップ１４４０Ａで、第１特図制御手段１１５１（第２特図制御手段１１５２）は、第１フラグ一時記憶手段１１９１ａ（第２フラグ一時記憶手段１１９２ａ）中の変動中フラグをオフにする。そして、ステップ１４８０Ａで、第１特図内容決定手段１１４１（第２特図内容決定手段１１４２）は、第１フラグ一時記憶手段１１９１ａ（第２フラグ一時記憶手段１１９２ａ）にアクセスし、転落変動フラグをオフにする。次に、ステップ１４４２Ａで、第１特図変動時間管理手段１１５１ａ（第２特図変動時間管理手段１１５２ａ）は、第１特図変動管理用タイマ１１５１ａ−１（第２特図変動管理用タイマ１１５２ａ−１）をリセットする。次に、ステップ１４５０Ａで、主制御装置１０００は、後述の特定遊技終了判定処理を実行し、次の処理（ステップ１５００の特別遊技作動条件判定処理）に移行する。
【０１０７】
尚、ステップ１４０２ＡでＮｏの場合には、ステップ１４４４Ａで、第１特図制御手段１１５１（第２特図制御手段１１５２）は、第１フラグ一時記憶手段１１９１ａ（第２フラグ一時記憶手段１１９２ａ）を参照し、変動中フラグがオンであるか否かを判定する。ステップ１４４４ＡでＹｅｓの場合にはステップ１４２４Ａに移行し、Ｎｏの場合には次の処理（ステップ１５００の特別遊技作動条件判定処理）に移行する。
【０１０８】
次に、図１２は、図１０及び図１１におけるステップ１４５０（１）及び（３）Ａ｛ステップ１４５０（２）及び（４）Ａ｝のサブルーチンに係る、特定遊技終了判定のフローチャートである。まず、ステップ１４５２で、特定遊技制御手段１１８０は、時短回数カウンタ１１８１ａを参照して、時短回数カウンタ値が０よりも大きいか否かを判定する。ステップ１４５２でＹｅｓの場合、ステップ１４５４で、特定遊技制御手段１１８０は、時短回数カウンタ１１８１ａの時短回数カウンタ値を１減算する。次に、ステップ１４５６で、特定遊技制御手段１１８０は、時短回数カウンタ１１８１ａを参照して、時短回数が０であるか否かを判定する。ステップ１４５６でＹｅｓの場合、ステップ１４６０で、特定遊技制御手段１１８０は、第１フラグ一時記憶手段１１９１ａ中の時間短縮フラグをオフにし、次の処理（特別遊技作動条件判定処理１５００）に移行する。尚、ステップ１４５２及びステップ１４５６でＮｏの場合にも、次の処理（特別遊技作動条件判定処理１５００）に移行する。
【０１０９】
次に、図１３は、図８におけるステップ１５００のサブルーチンに係る、特別遊技作動条件判定処理のフローチャートである。まず、ステップ１５０２で、第１条件判定手段１１７１ａ（第２条件判定手段１１７２ａ）は、第１フラグ一時記憶手段１１９１ａ（第２フラグ一時記憶手段１１９２ａ）を参照し、当たりフラグがオンであるか否かを判定する。ステップ１５０２でＹｅｓの場合、ステップ１５０４で、第１条件判定手段１１７１ａ（第２条件判定手段１１７２ａ）は、第１特別図柄表示装置２１３０（第２特別図柄表示装置２２３０）の第１特図表示部２１３１（第２特図表示部２２３１）上に表示された特別図柄が所定態様で停止したか否かを判定する。ステップ１５０４でＹｅｓの場合、ステップ１５０６及びステップ１５０８で、第１条件判定手段１１７１ａ（第２条件判定手段１１７２ａ）は、第１フラグ一時記憶手段１１９１ａ（第２フラグ一時記憶手段１１９２ａ）中の特別遊技移行許可フラグをオンにすると共に当たりフラグをオフにする。次に、ステップ１５５２及び１５５４で、特定遊技制御手段１１８０は、第１フラグ一時記憶手段１１９１ａ（第２フラグ一時記憶手段１１９２ａ）中の特定遊技フラグ（確率変動フラグ・時間短縮フラグ）を一旦オフにすると共に、時短回数カウンタ１１８１ａをリセット（時短回数カウンタ値＝０）し、次の処理（ステップ１２００の電チュー駆動判定処理）に移行する。尚、ステップ１５０２及びステップ１５０４でＮｏの場合にも、次の処理（ステップ１２００の電チュー駆動判定処理）に移行する。
【０１１０】
次に、図１４は、図８におけるステップ１２００のサブルーチンに係る、電チュー駆動判定処理のフローチャートである。まず、ステップ１２０２で、電チュー開閉制御手段１１６０は、補助遊技関連情報一時記憶手段１１９３ａを参照して、電チュ−開放中フラグがオフであるか否かを判定する。ステップ１２０２でＹｅｓの場合、ステップ１２０４で、普図制御手段１１５３は、補助遊技関連情報一時記憶手段１１９３ａを参照して、普通図柄変動中フラグがオフであるか否かを判定する。ステップ１２０４でＹｅｓの場合、ステップ１２０６で、普図内容決定手段１１４３は、普図保留情報一時記憶手段１１３３ａにアクセスし、普通図柄に関する保留球があるか否かを判定する。ステップ１２０６でＹｅｓの場合、ステップ１２０８で、普図内容決定手段１１４３は、第１フラグ一時記憶手段１１９１ａ及び第２フラグ一時記憶手段１１９２ａを参照して、現在特別遊技中（特別遊技移行許可フラグオン又は特別遊技実行フラグオン）でないか否かを判定する。ステップ１２０８でＹｅｓの場合、ステップ１２１０で、普図内容決定手段１１４３は、第１フラグ一時記憶手段１１９１ａを参照して、現在の遊技状態が易開放状態中（時間短縮フラグオン）か否かを判定する。ステップ１２１０でＹｅｓの場合には、ステップ１２１２で、普図内容決定手段１１４３は、普図時間短縮用抽選テーブル１１４３ａ−２をセットし、他方、ステップ１２１０でＮｏの場合には、ステップ１２１４で、普図内容決定手段１１４３は、普図通常用抽選テーブル１１４３ａ−１をセットする。そして、ステップ１２１６で、普図内容決定手段１１４３は、当該保留球に基づく普通図柄乱数に基づき停止図柄を決定する。次に、ステップ１２１８で、普図変動時間管理手段１１５３ａは、セットしたテーブルに基づき、普図変動管理用タイマ１１５３ａ−１に所定時間（例えば、時短遊技の場合には５秒、通常遊技の場合には３０秒）をセットする。そして、ステップ１２２０で、普図制御手段１１５３は、補助遊技関連情報一時記憶手段１１９３ａ中の普通図柄変動中フラグをオンにする。次に、ステップ１２２２で、普図保留手段１１３３は、普通図柄に関する当該保留球を１減算した上で普図保留情報一時記憶手段１１３３ａに記録されている保留情報を更新すると共に、普図制御手段１１５３は、普図変動管理用タイマ１１５３ａ−１をスタートした後、普図表示部２４２１上で普通図柄の変動表示を開始する。次に、ステップ１２２４で、普図変動時間管理手段１１５３ａは、普図変動管理用タイマ１１５３ａ−１を参照して、前記所定時間に到達したか否かを判定する。ステップ１２２４でＹｅｓの場合、ステップ１２２６で、普図制御手段１１５３は、普図表示部２４２１上で、前記ステップ１２１６で普図内容決定手段１１４３が決定した停止図柄を確定表示する。そして、ステップ１２２８で、普図制御手段１１５３は、補助遊技関連情報一時記憶手段１１９３ａ中の普通図柄変動中フラグをオフにする。次に、ステップ１２３０で、条件判定手段１１６１は、当該停止図柄が「当たり」であるか否かを判定する。ステップ１２３０でＹｅｓの場合、ステップ１２３２で、電チュー開閉制御手段１１６０は、セットしたテーブルに基づき、開放タイマ１１６２に所定時間（例えば、時短遊技の場合には５秒、通常遊技の場合には０．５秒）セットする。次に、ステップ１２３４で、電チュー開閉制御手段１１６０は、補助遊技関連情報一時記憶手段１１９３ａ中の電チュ−開放中フラグをオンにする。そして、ステップ１２３６で、電チュー開閉制御手段１１６０は、第１特図始動口２１１０の第１電動役物２１１２を開放する。次に、ステップ１２３８で、電チュー開閉制御手段１１６０は、開放タイマ１１６２を参照して、前記所定時間に到達したか否かを判定する。ステップ１２３８でＹｅｓの場合、ステップ１２４０及びステップ１２４２で、電チュー開閉制御手段１１６０は、第１特図始動口２１１０の第１電動役物２１１２を閉鎖すると共に、補助遊技関連情報一時記憶手段１１９３ａ中の電チュ−開放中フラグをオフにし、次の処理（状態表示灯点灯処理１００００）に移行する。
【０１１１】
尚、ステップ１２０２でＮｏの場合にはステップ１２３８に移行し、ステップ１２０４でＮｏの場合にはステップ１２２４に移行し、ステップ１２０８でＮｏの場合にはステップ１２１４に移行し、ステップ１２０６、ステップ１２２４、ステップ１２３０及びステップ１２３８でＮｏの場合には次の処理（状態表示灯点灯処理１００００）に移行する。
【０１１２】
図１５は、図４でのステップ１６のサブルーチンに係る、特別遊技制御処理のフローチャートである。まず、ステップ９０で、特別遊技制御手段１１７０は、第１フラグ一時記憶手段１１９１ａ及び第２フラグ一時記憶手段１１９２ａを参照することにより、特別遊技が第１特別遊技及び第２特別遊技のうち第１特別遊技であるか否か、即ち、第１特別遊技に関する特別遊技移行許可フラグ又は特別遊技実行フラグがオンになっているか否かを確認する。ステップ９０でＹｅｓの場合には、ステップ２１００（１）で、主制御装置１０００は、後述する第１特別遊技実行処理を行い、次の処理（状態表示灯点灯処理１００００）に移行する。他方、ステップ９０でＮｏの場合には、ステップ２１００（２）で、主制御装置１０００は、後述する第２特別遊技実行処理を行い、次の処理（状態表示灯点灯処理１００００）に移行する。
【０１１３】
図１６は、図１５でのステップ２１００（１）及びステップ２１００（２）のサブルーチンに係る、第１特別遊技実行処理及び第２特別遊技実行処理のフローチャートである。まず、ステップ２１０２で、第１特別遊技実行手段１１７１ｂ（第２特別遊技実行手段１１７２ｂ）は、第１フラグ一時記憶手段１１９１ａ（第２フラグ一時記憶手段１１９２ａ）を参照し、特別遊技移行許可フラグがオンであるか否かを判定する。ステップ２１０２でＹｅｓの場合、ステップ２１０４で、情報送信手段１３００は、演出表示制御手段２３２０側に特別遊技開始信号を送信する。次に、ステップ２１０６及びステップ２１０８で、第１特別遊技実行手段１１７１ｂ（第２特別遊技実行手段１１７２ｂ）は、第１フラグ一時記憶手段１１９１ａ（第２フラグ一時記憶手段１１９２ａ）中の特別遊技移行許可フラグをオフにすると共に特別遊技実行フラグをオンにし、ステップ２１１２に移行する。他方、ステップ２１０２でＮｏの場合、ステップ２１１０で、第１特別遊技実行手段１１７１ｂ（第２特別遊技実行手段１１７２ｂ）は、特別遊技実行フラグがオンであるか否かを判定する。そして、ステップ２１１０でＹｅｓの場合には、ステップ２１１２に移行する。尚、ステップ２１１０でＮｏの場合には、第１特別遊技実行手段１１７１ｂ（第２特別遊技実行手段１１７２ｂ）は、特別遊技の許可が下りていないと判定し、次の処理（状態表示灯点灯処理１００００）に移行する。
【０１１４】
次に、ステップ２１１２で、第１特別遊技実行手段１１７１ｂ（第２特別遊技実行手段１１７２ｂ）は、第１フラグ一時記憶手段１１９１ａ（第２フラグ一時記憶手段１１９２ａ）を参照し、ラウンド継続フラグがオンであるか否か、換言すれば、当該ラウンドが途中であるか否かを判定する。ステップ２１１２でＹｅｓの場合、即ち、当該ラウンドが途中である場合、以下で詳述するステップ２１１４〜２１２２の処理を行うことなく、ステップ２１２３に移行する。他方、ステップ２１１２でＮｏの場合、即ち、当該ラウンドの開始直前である場合、まず、ステップ２１１４で、第１特別遊技実行手段１１７１ｂ（第２特別遊技実行手段１１７２ｂ）は、第１特別遊技用タイマ１１７１ｃ−１（第２特別遊技用タイマ１１７２ｃ−１）をゼロクリアすると共に所定値（例えば、通常の特別遊技であれば３０秒、突然確率変動・突然時短の特別遊技であれば０．８秒）セットする。次に、ステップ２１１６で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）中の入賞球カウンタをゼロクリアする。そして、ステップ２１１８で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）中のラウンド数カウンタに１を加算する。尚、第１特別遊技関連情報一時記憶手段１１９１ｃ（第２特別遊技関連情報一時記憶手段１１９２ｃ）に記憶されているラウンド数は、特別遊技開始直後（初期値）は０であり、以後ラウンドを重ねていく毎に１ずつインクリメントされる。次に、ステップ２１２０で、第１特別遊技実行手段１１７１ｂ（第２特別遊技実行手段１１７２ｂ）は、第１フラグ一時記憶手段１１９１ａ（第２フラグ一時記憶手段１１９２ａ）中のラウンド継続フラグをオンにする。そして、ステップ２１２２で、第１特別遊技実行手段１１７１ｂ（第２特別遊技実行手段１１７２ｂ）は、第１大入賞口２１２０（第２大入賞口２２２０）を開放するために、第１ソレノイド２１２３（第２ソレノイド２２２３）の駆動を指示する第１励磁信号（第２励磁信号）を第１ソレノイド駆動手段２１２４（第２ソレノイド駆動手段２２２４）に定期的（例えば０．４ｍ秒毎に）送信し、ステップ２１２３に移行する。
【０１１５】
次に、ステップ２１２３で、情報送信手段１３００は、演出表示制御手段２３２０側に現在の遊技状態情報（例えば、現在のラウンド数や遊技球の入賞個数等）を送信する。そして、ステップ２１２４で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）を参照して当該ラウンドで所定球（例えば１０球）の入賞球があったか否かを判定する。ステップ２１２４でＹｅｓの場合には、ステップ２１２８に移行する。他方、ステップ２１２４でＮｏの場合、ステップ２１２６で、第１特別遊技実行手段１１７１ｂ（第２特別遊技実行手段１１７２ｂ）は、第１特別遊技用タイマ１１７１ｃ−１（第２特別遊技用タイマ１１７２ｃ−１）を参照して所定時間が経過したか否かを判定する。ステップ２１２６でＹｅｓの場合にも、ステップ２１２８に移行し、Ｎｏの場合には、次の処理（ステップ１００００の状態表示灯点灯処理）に移行する。
【０１１６】
次に、ステップ２１２８で、第１特別遊技実行手段１１７１ｂ（第２特別遊技実行手段１１７２ｂ）は、第１ソレノイド２１２３（第２ソレノイド２２２３）の駆動を指示する第１励磁信号（第２励磁信号）の送信を停止して第１大入賞口２１２０（第２大入賞口２２２０）を閉鎖する。そして、ステップ２１３０で、第１特別遊技実行手段１１７１ｂ（第２特別遊技実行手段１１７２ｂ）は、第１特別遊技用タイマ１１７１ｃ−１（第２特別遊技用タイマ１１７２ｃ−１）をリセットする。次に、ステップ２１３２で、第１特別遊技実行手段１１７１ｂ（第２特別遊技実行手段１１７２ｂ）は、第１フラグ一時記憶手段１１９１ａ（第２フラグ一時記憶手段１１９２ａ）中のラウンド継続フラグをオフにする。次に、ステップ２１３４で、第１特別遊技実行手段１１７１ｂ（第２特別遊技実行手段１１７２ｂ）は、第１特別遊技関連情報一時記憶手段１１９１ｃ（第２特別遊技関連情報一時記憶手段１１９２ｃ）を参照して、当該ラウンドが最終ラウンド（例えば、通常の特別遊技であれば１５ラウンド、突然確率変動や突然時間短縮の特別遊技であれば２ラウンド）であるか否かを判定する。ステップ２１３４でＹｅｓの場合、ステップ２１３６で、第１特別遊技実行手段１１７１ｂ（第２特別遊技実行手段１１７２ｂ）は、第１フラグ一時記憶手段１１９１ａ（第２フラグ一時記憶手段１１９２ａ）中の特別遊技実行フラグをオフにする。次に、ステップ２１３８で、情報送信手段１３００は、演出表示制御手段２３２０側に特別遊技終了信号を送信する。そして、ステップ１６５０で、遊技制御手段１１００は、後述の特別遊技終了後の遊技状態決定処理を実行し、次の処理（ステップ１００００の状態表示灯点灯処理）に移行する。尚、ステップ２１３４でＮｏの場合にも、次の処理（ステップ１００００の状態表示灯点灯処理）に移行する。
【０１１７】
次に、図１７は、図１６におけるステップ１６５０のサブルーチンに係る、特別遊技終了後の遊技状態決定処理のフローチャートである。まず、ステップ１６５６で、特定遊技制御手段１１８０は、第１特図情報一時記憶手段１１９１ｂ（第２特図情報一時記憶手段１１９２ｂ）を参照して、第１特図表示部２１３１（第２特図表示部２２３１）上で停止した第１特別図柄（第２特別図柄）が確率変動当たりであるか否かを判定する。ステップ１６５６でＹｅｓの場合、ステップ１６５８及びステップ１６６０で、特定遊技制御手段１１８０は、第１フラグ一時記憶手段１１９１ａ及び第２フラグ一時記憶手段１１９２ａ中の確率変動フラグと時間短縮フラグとを夫々オンにし、ステップ１６６６に移行する。尚、特定遊技フラグ（確率変動フラグ・時間短縮フラグ）を第１遊技側及び第２遊技側夫々にセットする理由は、第１遊技と第２遊技とを同じ遊技状態にすることを担保するためである。即ち、第１遊技及び第２遊技が通常遊技状態の場合において、第１遊技側で確率変動当たりとなった場合は、第１特別遊技終了後に第２遊技側も確率変動遊技状態となる。
【０１１８】
他方、ステップ１６５６でＮｏの場合、ステップ１６６２で、特定遊技制御手段１１８０は、第１特図表示部２１３１（第２特図表示部２２３１）上で停止した特別図柄が時間短縮変動当たりであるか否かを判定する。ステップ１６６２でＹｅｓの場合、ステップ１６６４で、特定遊技制御手段１１８０は、第１フラグ一時記憶手段１１９１ａ及び第２フラグ一時記憶手段１１９２ａ中の時間短縮フラグを夫々オンにし、ステップ１６６６に移行する。
【０１１９】
次に、ステップ１６６６で、特定遊技制御手段１１８０は、時短回数カウンタ１１８１ａに時短回数カウンタ値として所定値（例えば１００）をセットし、次の処理（状態表示灯点灯処理１００００）に移行する。尚、ステップ１５６２でＮｏの場合にも、次の処理（ステップ１００００の状態表示灯点灯処理）に移行する。
【０１２０】
次に、図１８は、図４におけるステップ１００００のサブルーチンに係る、状態表示灯点灯処理のフローチャートである。まず、ステップ１０００２で、状態表示灯制御手段１１５４は、遊技状態一時記憶手段１１９０にアクセスし、確率変動フラグが現在オンであるか否かを判定する。ステップ１０００２でＹｅｓの場合、状態表示灯制御手段１１５４は、状態表示灯４０００を点灯表示し、次の処理（賞球払出処理５０００）に移行する。他方、ステップ１０００２でＮｏの場合、ステップ１０００６で、状態表示灯制御手段１１５４は、遊技状態一時記憶手段１１９０にアクセスし、時間短縮フラグが現在オンであるか否かを判定する。ステップ１０００６でＹｅｓの場合、状態表示灯制御手段１１５４は、状態表示灯４０００を点滅表示し、次の処理（賞球払出処理５０００）に移行する。他方、ステップ１０００６でＮｏの場合、状態表示灯制御手段１１５４は、状態表示灯４０００を消灯し、次の処理（賞球払出処理５０００）に移行する。
【０１２１】
図１９は、本最良形態（タイプＡ）に係るパチンコ遊技機における、サブ基板側のメインフローチャートである。まず、ステップ６１００（１）で、第１装飾図柄表示制御手段２３２３ａ−１は、後述する第１装飾図柄表示制御処理を実行する。次に、ステップ６１００（２）で、第２演出表示制御手段２２５０は、後述する第２装飾図柄表示制御処理を実行する。次に、ステップ６２００で、第１装飾図柄表示制御手段２３２３ａ−１及び／又は第２演出表示制御手段２２５０は、後述する特別遊技中表示制御処理を実行し、ステップ６１００（１）に戻る処理を繰り返す。
【０１２２】
図２０は、図１９でのステップ６１００（１）及びステップ６１００（２）のサブルーチンに係る、タイプＡの第１装飾図柄表示制御処理及び第２装飾図柄表示制御処理のフローチャートである。まず、ステップ６１０１Ａで、第１装飾図柄表示制御手段２３２３ａ−１（第２装飾図柄表示制御手段２３２３ａ−２）は、図柄変動中フラグがオフであるか否かを判定する。ステップ６１０１ＡでＹｅｓの場合、ステップ６１０２Ａで、第１装飾図柄表示制御手段２３２３ａ−１（第２装飾図柄表示制御手段２３２３ａ−２）は、メイン側情報一時記憶手段２３２１ａを参照し、主制御装置１０００側から図柄情報を受信したか否かを判定する。ステップ６１０２ＡでＹｅｓの場合、ステップ６１０４Ａで、第１装図表示内容決定手段２１５２ａ−１（第２装図表示内容決定手段２２５２ａ−１）は、メイン側情報一時記憶手段２３３１ａ内に一時記憶された主制御装置１０００側からの図柄情報に基づき、第１装図変動内容決定用抽選テーブル２３２３ａ−１−１−１（第２装図変動内容決定用抽選テーブル２３２３ａ−２−１−１）を参照して、第１装飾図柄（第２装飾図柄）の変動態様と停止図柄を決定する。尚、主制御装置１０００側からの停止図柄・変動態様（即ち、特別図柄の停止図柄・変動態様）と第１装飾図柄表示制御手段２３２３ａ−１（第２装飾図柄表示制御手段２３２３ａ−１）側で決定する停止図柄・変動態様（即ち、装飾図柄の停止図柄・変動態様）とは１対１対応でなくともよく、例えば、第１装飾図柄表示制御手段２３２３ａ−１（第２装飾図柄表示制御手段２３２３ａ−２）側での変動態様の比率を主制御装置１０００側からの一変動態様に対して複数パターン持っていてもよい。次に、ステップ６１０５Ａで、第１装飾図柄表示制御手段２３２３ａ−１（第２装飾図柄表示制御手段２３２３ａ−２）は、図柄変動中フラグをオンにする。そして、ステップ６１０６Ａで、第１装飾図柄表示制御手段２３２３ａ−１（第１装飾図柄表示制御手段２３２３ａ−２）は、前記ステップ６１０４Ａでの決定内容に従い、演出表示装置２３１０の第１装図表示部（第２装図表示部）上で第１装飾図柄（第２装飾図柄）の変動表示を開始する。次に、ステップ６１０７Ａで、第１装飾図柄表示制御手段２３２３ａ−１（第１装飾図柄表示制御手段２３２３ａ−２）は、図柄変動一時停止フラグがオフであるか否かを判定する。ステップ６１０７ＡでＹｅｓの場合、ステップ６１０８Ａで、第１装飾図柄表示制御手段２３２３ａ−１（第１装飾図柄表示制御手段２３２３ａ−２）は、メイン側情報一時記憶手段２３２１ａを参照して、主制御装置１０００側から図柄変動の一時停止信号を受信したか否かを判定する。ステップ６１０８ＡでＹｅｓの場合、ステップ６１０９Ａ及びステップ６１１０Ａで、第１装飾図柄表示制御手段２３２３ａ−１（第１装飾図柄表示制御手段２３２３ａ−２）は、図柄変動一時停止フラグをオンにすると共に、演出表示装置２３１０の第１装図表示部（第２装図表示部）上で、変動中の第１装飾図柄（第２装飾図柄）を一時停止（ゆれ変動）する。そして、ステップ６１１２Ａで、第１装飾図柄表示制御手段２３２３ａ−１（第１装飾図柄表示制御手段２３２３ａ−２）は、メイン側情報一時記憶手段２３２１ａを参照して、主制御装置１０００側から図柄変動の再開信号を受信したか否かを判定する。ステップ６１１２ＡでＹｅｓの場合、ステップ６１１３Ａ及びステップ６１１４Ａで、第１装飾図柄表示制御手段２３２３ａ−１（第１装飾図柄表示制御手段２３２３ａ−２）は、図柄変動一時停止フラグをオフにすると共に、一時停止（ゆれ変動）していた第１装飾図柄（第２装飾図柄）の変動を再開する。他方、ステップ６１１２ＡでＮｏの場合には、再開信号を受信するまで待機する。そして、ステップ６１１６Ａで、第１装飾図柄表示制御手段２３２３ａ−１（第１装飾図柄表示制御手段２３２３ａ−２）は、メイン側情報一時記憶手段２３２１ａを参照し、主制御装置１０００側から確定表示コマンドを受信したか否かを判定する。ステップ６１１６ＡでＹｅｓの場合、ステップ６１１８Ａで、第１装飾図柄表示制御手段２３２３ａ−１（第１装飾図柄表示制御手段２３２３ａ−２）は、前記ステップ６１０４Ａでの決定内容に従い、第１装飾図柄（第２装飾図柄）の停止図柄を確定表示する。そして、ステップ６１１９Ａで、第１装飾図柄表示制御手段２３２３ａ−１（第１装飾図柄表示制御手段２３２３ａ−２）は、図柄変動中フラグをオフにし、次の処理（特別遊技中表示制御修理６２００）に移行する。尚、ステップ６１０１ＡでＮｏの場合にはステップ６１０７Ａに移行し、ステップ６１０２Ａ及びステップ６１１６ＡでＮｏの場合には次の処理（操作ナビ表示制御処理６９００）に移行し、ステップ６１０７ＡでＮｏの場合にはステップ６１１２Ａに移行し、ステップ６１０８Ａ及びステップ６１１２ＡでＮｏの場合にはステップ６１１６Ａに移行する。
【０１２３】
ここで、本最良形態において、第１装飾図柄（第２装飾図柄）の変動態様を決定するに際して参照される第１装図変動内容決定用参照テーブル２３２３ａ−１−１−１（第２装図変動内容決定用参照テーブル２３２３ａ−２−１−１）は、メイン側の第１特図内容決定用抽選テーブル１１４１ａ（第２特図内容決定用抽選テーブル１１４２ａ）と完全に対応している。即ち、メイン側で実質的にサブ側の変動態様を決定するように構成されている。より具体的には、メイン側で他方特図転落変動時抽選テーブルが参照されて「変動態様Ｅ２」が選択された場合、メイン側からサブ側に「変動態様Ｅ２」に相当する変動態様特定コードが送信され、当該コードを受信したサブ側では、サブ側での対応テーブル（他方特図転落変動時抽選テーブル）を参照し、当該「変動態様Ｅ２」に該当する装図変動態様を抽出することにより、サブ側で変動態様が決定される。但し、これに限定されるものではなく、例えば、メイン側で当該転落変動時抽選テーブルや他方転落時変動テーブルを備えていなくとも、サブ側でのみ当該転落変動時抽選テーブルや他方転落時変動テーブルを備えていれば、メイン側から逐次送信される転落に関する情報（例えば、転落した旨の信号や、遊技状態に関する情報、図柄変動の有無に関する情報）に基づき、自身が転落した旨の報知や他方が転落した旨の報知は可能である。
【０１２４】
図２１は、図１９でのステップ６２００のサブルーチンに係る、特別遊技中表示制御処理のフローチャートである。まず、ステップ６２０１で、表示制御手段２３２３は、特別遊技中フラグがオフであるか否かを判定する。ステップ６２０１でＹｅｓの場合、ステップ６２０２で、表示制御手段２３２３は、メイン側情報一時記憶手段２３２１ａを参照し、主制御装置１０００側から特別遊技開始信号を受信したか否かを判定する。ステップ６２０２でＹｅｓの場合、ステップ６２０３及びステップ６２０４で、表示制御手段２３２３は、特別遊技中フラグをオンにすると共に、演出表示装置２３１０の第１装図表示部（第２装図表示部）上で大当たり開始表示を行う。そして、ステップ６２０６で、表示制御手段２３２３は、演出表示装置２３１０の第１装図表示部（第２装図表示部）上で、ステップ２１２３で主制御装置１０００側から逐次送信されている遊技情報に基づき、ラウンド数と入賞個数を逐次表示する。そして、ステップ６２０８で、表示制御手段２３２３は、メイン側情報一時記憶手段２３２１ａを参照し、主制御装置１０００側から特別遊技終了信号を受信したか否かを判定する。ステップ６２０８でＹｅｓの場合、ステップ６２１０で、表示制御手段２３２３は、演出表示装置２３１０の第１装図表示部（第２装図表示部）上で、大当たり終了表示を行う。そして、ステップ６２１１で、表示制御手段２３２３は、特別遊技中フラグをオフにし、次の処理｛第１装飾図柄表示制御処理６１００（１）｝に移行する。尚、ステップ６２０１でＮｏの場合にはステップ６２０６に移行し、ステップ６２０２及びステップ６２０８でＮｏの場合にも次の処理｛第１装飾図柄表示制御処理６１００（１）｝に移行する。
【０１２５】
次に、本最良形態（タイプＡ）に係るパチンコ遊技機の作用について説明する。まず、図１を参照しながら、特別遊技移行までの流れを説明する。はじめに、図１に示すように、遊技者がハンドル１１６を時計回りに回転させると、遊技球が遊技領域１２０に放出される。そして、流下した遊技球が第１特図始動口２１１０又は第２特図始動口２２１０に入賞すると、第１特図表示部２１３１又は第２特図表示部２２３１上で第１特別図柄又は第２特別図柄が変動表示を開始すると共に、当該特別図柄と連動した形で、演出表示装置２３１０上で第１装飾図柄又は第２装飾図柄が変動表示を開始する｛図中の３個の矢印は、３列の装飾図柄列が変動状態にあることを示している（第１装飾図柄と第２装飾図柄の両方が変動中）｝。そして、第１特別図柄又は第２特別図柄が所定態様（例えば「７」）で停止することにより｛これに連動して、第１装飾図柄又は第２装飾図柄も特定態様（例えば「７７７」）で停止する｝、第１大入賞口２１２０又は第２大入賞口２２２０が開状態となる特別遊技が開始する。そしえ、いずれかの特別図柄が確率変動図柄で当選した場合には、当該図柄に基づく特別遊技終了後、確率変動遊技状態に移行する。
【０１２６】
ここで、確率変動遊技時においては、第１特別図柄側でも第２特別図柄側でも高確率状態で当否抽選をしており、当該抽選に先立ち、特別遊技状態から通常遊技状態又は時間短縮遊技状態への転落抽選を毎回行う。そして、いずれか一方の特別図柄側で当該転落をした場合には、以後抽選を実行するに際し、第１特別図柄側でも第２特別図柄側でも低確率状態で当否抽選をすることになる。
【０１２７】
そこで、図２５のタイミングチャートを参照しながら、従来のパチンコ遊技機における転落前後での演出内容と本最良形態に係るパチンコ遊技機における転落前後での演出内容を説明する。尚、当該例では、理解の容易上、時間短縮遊技状態がオフである（即ち、特別遊技終了後の変動回数が１００回を超えている状態）。まず、当該タイミングチャートの前半が、従来のパチンコ遊技機における転落前後での演出内容である。まず、「Ａ」及び「Ｂ」に係る第１図柄変動においては、転落当選にハズれた結果、確率変動遊技状態が維持されると共に、当該確率変動維持が確定した第１図柄の変動内容としては、「確変用演出」が選択される。しかしながら、「Ｃ」に係る第１図柄変動時、転落抽選に当選した結果、このタイミングで確率変動遊技状態から通常遊技状態に移行すると共に、当該転落が確定した第１図柄の変動内容としては、「転落時用演出」が選択される。そして、「Ｄ」に係る図柄変動以後、「通常用演出」が選択されることになる。
【０１２８】
このように第１図柄側で転落が確定した場合、他方の図柄（第２図柄）側では、以下のような変動内容が選択される。まず、当該転落決定より前に図柄変動を開始した、「ａ」〜「ｃ」に係る第２図柄の変動内容としては、「確変用演出」が選択される。そして、当該転落決定以後に図柄変動を開始した、「ｄ」に係る第２図柄変動以後の図柄内容としては、「通常用演出」が選択される。このように、遊技者が仮に第２図柄ばかり見ていた場合、従来の遊技機においては、これまで「確変用演出」が行われていたのにある時から何の予告もなく「通常用演出」になってしまうため、遊技者を混乱させる事態を招きかねない。
【０１２９】
次に、当該タイミングチャートの後半が、本最良形態に係るパチンコ遊技機に係るものである。まず、「Ｅ」及び「Ｆ」に係る第１図柄変動においては、転落当選にハズれた結果、確率変動遊技状態が維持されると共に、当該確率変動維持が確定した第１図柄の変動内容としては、「確変用演出」が選択される。しかしながら、「Ｇ」に係る第１図柄変動時、転落抽選に当選した結果、このタイミングで確率変動遊技状態から通常遊技状態に移行すると共に、当該転落が確定した第１図柄の変動内容としては、「転落時用演出」が選択される。ここで、当該「Ｇ」の演出内容は、例えば、タイプ１であれば「転落するかしないか〜」といった転落の危険を煽るような演出を演出表示装置上で行い、タイプ２であれば「チャンスタイム（Ｘ秒）突入！」といった表示がなされる。また、当該演出の最後に「転落しました」旨の報知を行う。そして、「Ｈ」に係る図柄変動以後、「通常用演出」が選択されることになる。
【０１３０】
このように第１図柄側で転落が確定した場合、他方の図柄（第２図柄）側では、以下のような変動内容が選択される。まず、当該転落決定より前に図柄変動を開始した、「ｅ」及び「ｆ」に係る第２図柄の変動内容としては、「確変用演出」が選択される。そして、当該転落決定以後でありかつ転落決定に係る第１図柄がまだ変動中である、「ｇ」〜「ｊ」に係る第２図柄の変動内容としては、「他方転落時用演出」が選択される。ここで、当該「他方転落時演出」においては、タイプ１であれば「転落するかしないか〜」といった転落の危険を煽るような演出を演出表示装置上で行い、タイプ２であれば「チャンスタイム突入中」といった表示がなされる。また、当該演出中に、転落に係る他方の演出が終了したことが確認された場合には、当該演出の最後に「他方で転落しました」旨の報知を行う。そして、「ｋ」に係る図柄変動以後、「通常用演出」が選択されることになる。
【０１３１】
尚、参考までに、図２４に、図２５中の「α」〜「θ」のタイミングにおける、第１遊技側及び第２遊技側の両フラグエリアの各種フラグのオンオフ状況を示す。
【０１３２】
次に、本最良形態のＢタイプ（ハズレ停止図柄強制停止タイプ）を説明する。ここで、当該タイプは、第２（第１）の特別遊技実行中に第１（第２）特別図柄が変動中である場合、当該第１（第２）特別図柄をハズレ停止図柄で強制的に停止させることにより、第１（第２）特別遊技への移行を防止するものである。
【０１３３】
そこでまず、図３のブロック図を参照しながら、タイプＢに係るパチンコ遊技機の機能上の特徴を説明する。タイプＢに係るパチンコ遊技機は、タイプＡの特図変動タイマ一時停止手段１２２２ｂの代わりに、第１遊技及び第２遊技の一方が特別遊技に移行した場合、他方の遊技に係る特別図柄を強制的にハズレ図柄にするためのハズレ図柄強制差換手段１２２２ｃを有することを特徴とする。
【０１３４】
次に、図２６のフローチャートを参照しながら、タイプＢに係るパチンコ遊技機の処理上の特徴を説明する。ここで、図２６は、メイン側の処理に係るフローチャートであり、詳細には、図８におけるステップ１４００（３）｛１４００（４）｝のサブルーチンに係る、第１特別図柄表示処理（第２特別図柄表示処理）のフローチャートである。尚、大部分が図１１と共通し、ステップ１４２４Ｂ〜ステップ１４３１Ｂが存在する点でのみ相違する。そこで相違点のみ説明すると、ステップ１４２２Ｂで特別図柄が変動を開始した後、ステップ１４２４Ｂで、遊技状態確認手段１２１０は、第２フラグ一時記憶手段１１９２ａ（第１フラグ一時記憶手段１１９１ａ）を参照して、特別遊技関連フラグ（例えば、特別遊技移行許可フラグ、特別遊技実行フラグ）がオフであるか否か、即ち、現在特別遊技が実行中でないか否かを判定する。そして、ステップ１４２４ＢでＹｅｓの場合には、本フローに係るハズレ停止図柄強制停止処理を行なわず、ステップ１４３４Ｂに移行する。他方、ステップ１４２４ＢでＮｏの場合、ステップ１４２５Ｂで、まず、情報送信手段１３００が、演出表示制御手段２３２０側にハズレ図柄で強制停止する旨の確定表示コマンドを送信する。次に、ステップ１４２７Ｂで、ハズレ図柄強制差換手段１２２２ｃが、第１特図情報一時記憶手段１１９１ｂ（第２特図情報一時記憶手段１１９２ｂ）に記憶されている停止図柄をハズレ停止図柄に強制的に差換えると共に、作動回避実行手段１２２２が、第１特図変動管理用タイマ１１５１ａ−１（第２特図変動管理用タイマ１１５２ａ−１）をゼロクリアする。これにより、設定したハズレ停止図柄が、第１特図表示部２１３１（第２特図表示部２２３１）に確定表示されることになる。そして、ステップ１４２９Ｂで、作動回避制御手段１２２０は、第１フラグ一時記憶手段１１９１ａ（第２フラグ一時記憶手段１１９２ａ）を参照して、当たりフラグがオンであるか否かを判定する。ステップ１４２９ＢでＹｅｓの場合、ステップ１４３１Ｂで、作動回避制御手段１２２０は、第１フラグ一時記憶手段１１９１ａ（第２フラグ一時記憶手段１１９２ａ）中の当たりフラグをオフにする。これにより、当該ハズレの停止図柄が停止するだけでなく、内部的にも当たりの権利が消滅する。
【０１３５】
尚、上記タイプＢは、強制ハズレ停止条件を充足した場合、変動中の図柄が直ちにハズレ停止図柄に置換されるように構成したが、ハズレ態様が停止図柄として表示されるまで変動を延長する、いわゆる「すべり」の手法を用いてもよい。
【０１３６】
次に、図２７は、サブ側の処理に係るフローチャートであり、詳細には、図１９でのステップ６１００（１）及びステップ６１００（２）のサブルーチンに係る、第１装飾図柄表示制御処理及び第２装飾図柄表示制御処理のフローチャートである。尚、大部分が図１９と共通し、ステップ６１０９Ｂ〜ステップ６１１Ｂ間の処理のみ相違する。そこで相違点のみ説明すると、ステップ６１０９Ｂで、第１装飾図柄表示制御手段２３２３ａ−１（第２装飾図柄表示制御手段２３２３ａ−２）は、メイン側情報一時記憶手段２３２１ａを参照して、主制御装置１０００側からハズレ停止図柄で強制停止する旨の信号を受信したか否かを判定する。ステップ６１０９ＢでＹｅｓの場合、ステップ６１１１Ｂで、第１装飾図柄表示制御手段２３２３ａ−１（第２装飾図柄表示制御手段２３２３ａ−２）は、演出表示装置２３１０の第１装図表示部（第２装図表示部）上で、変動中の第１装飾図柄（第２装飾図柄）をハズレ停止図柄で強制停止し、ステップ６１１９Ｂに移行する。他方、ステップ６１０９ＢでＮｏの場合は、ステップ６１１６Ｂに移行する。
【図面の簡単な説明】
【０１３７】
【図１】図１は、本発明の最良形態に係るパチンコ遊技機の正面図である。
【図２】図２は、本発明の最良形態に係るパチンコ遊技機の背面図である。
【図３】図３は、本発明の最良形態に係るパチンコ遊技機の機能ブロック図である。
【図４】図４は、本発明の最良形態に係るパチンコ遊技機における、主制御装置側でのメインフローチャートである。
【図５】図５は、本発明の最良形態に係るパチンコ遊技機における、主制御装置側での入賞処理のフローチャートである。
【図６】図６は、本発明の最良形態に係るパチンコ遊技機における、主制御装置側での普通図柄当選乱数取得処理のフローチャートである。
【図７】図７は、本発明の最良形態に係るパチンコ遊技機における、主制御装置側での特別遊技内容決定乱数取得処理のフローチャートである。
【図８】図８は、本発明の最良形態に係るパチンコ遊技機における、主制御装置側での通常遊技制御処理のフローチャートである。
【図９】図９は、本発明の最良形態に係るパチンコ遊技機における、主制御装置側での調整モード切替処理のフローチャートである。
【図１０】図１０は、本発明の最良形態に係るパチンコ遊技機における、主制御装置側での第１特別図柄表示処理（第２特別図柄表示処理）のフローチャートである。
【図１１】図１１は、本発明の最良形態に係るパチンコ遊技機における、主制御装置側での第１特別図柄表示処理（第２特別図柄表示処理）のフローチャートである（タイプＡ）。
【図１２】図１２は、本発明の最良形態に係るパチンコ遊技機における、主制御装置側での特定遊技終了判定処理のフローチャートである。
【図１３】図１３は、本発明の最良形態に係るパチンコ遊技機における、主制御装置側での特別遊技作動条件判定処理のフローチャートである。
【図１４】図１４は、本発明の最良形態に係るパチンコ遊技機における、主制御装置側での電チュー駆動判定処理のフローチャートである。
【図１５】図１５は、本発明の最良形態に係るパチンコ遊技機における、主制御装置側での特別遊技制御処理のフローチャートである。
【図１６】図１６は、本発明の最良形態に係るパチンコ遊技機における、主制御装置側での第１特別遊技実行処理（第２特別遊技実行処理）のフローチャートである。
【図１７】図１７は、本発明の最良形態に係るパチンコ遊技機における、主制御装置側での特別遊技終了後の遊技状態決定処理のフローチャートである。
【図１８】図１８は、本発明の最良形態に係るパチンコ遊技機における、主制御装置側での状態灯点灯処理のフローチャートである。
【図１９】図１９は、本発明の最良形態に係るパチンコ遊技機における、サブ側でのメインフローチャートである。
【図２０】図２０は、本発明の最良形態に係るパチンコ遊技機における、サブ側での装飾図柄表示制御処理のフローチャートである（タイプＡ）。
【図２１】図２１は、本発明の最良形態に係るパチンコ遊技機における、サブ側での特別遊技中表示制御処理のフローチャートである。
【図２２】図２２は、本発明の最良形態に係るパチンコ遊技機における、特図内容決定用抽選テーブル（タイプ１）の一例である。
【図２３】図２３は、本発明の最良形態に係るパチンコ遊技機における、特図内容決定用抽選テーブル（タイプ２）の一例である。
【図２４】図２４は、本発明の最良形態に係るパチンコ遊技機における、第１遊技状態一時記憶手段１１９１及び第２遊技状態一時記憶手段１１９２の一例である。
【図２５】図２５は、従来のパチンコ遊技機及び本発明の最良形態に係るパチンコ遊技機の作用を示すタイミングチャートである。
【図２６】図２６は、本発明の最良形態に係るパチンコ遊技機における、主制御装置側での第１特別図柄表示処理（第２特別図柄表示処理）のフローチャートである（タイプＢ）。
【図２７】図２７は、本発明の最良形態に係るパチンコ遊技機における、サブ側での装飾図柄表示制御処理のフローチャートである（タイプＢ）。
【符号の説明】
【０１３８】
１１２１  第１特図抽選手段
１１２２  第２特図抽選手段
１１４１  第１特図内容決定手段
１１４１ａ−１  第１特図通常遊技状態用抽選テーブル
１１４１ａ−２  第１特図確率変動遊技状態用抽選テーブル
１１４１ａ−４  第１特図転落変動時用抽選テーブル
１１４１ａ−５  他方特図転落変動時用抽選テーブル
１１４２  第２特図内容決定手段
１１４２ａ−１  第２特図通常遊技状態用抽選テーブル
１１４２ａ−２  第２特図確率変動遊技状態用抽選テーブル
１１４２ａ−４  第２特図転落変動時用抽選テーブル
１１４２ａ−５  他方特図転落変動時用抽選テーブル
１１５１  第１特図制御手段
１１５２  第２特図制御手段
１１７３  特別遊技実行手段
１１８０  特定遊技制御手段
２１１０  第２特図始動口
２１２０  第１大入賞口
２１３１  第１特図表示部
２２１０  第１特図始動口
２２２０  第２大入賞口
２２３１  第２特図表示部
【図１】
2007267946.tif 000003
【図２】
2007267946.tif 000004
【図３】
2007267946.tif 000005
【図４】
2007267946.tif 000006
【図５】
2007267946.tif 000007
【図６】
2007267946.tif 000008
【図７】
2007267946.tif 000009
【図８】
2007267946.tif 000010
【図９】
2007267946.tif 000011
【図１０】
2007267946.tif 000012
【図１１】
2007267946.tif 000013
【図１２】
2007267946.tif 000014
【図１３】
2007267946.tif 000015
【図１４】
2007267946.tif 000016
【図１５】
2007267946.tif 000017
【図１６】
2007267946.tif 000018
【図１７】
2007267946.tif 000019
【図１８】
2007267946.tif 000020
【図１９】
2007267946.tif 000021
【図２０】
2007267946.tif 000022
【図２１】
2007267946.tif 000023
【図２２】
2007267946.tif 000024
【図２３】
2007267946.tif 000025
【図２４】
2007267946.tif 000026
【図２５】
2007267946.tif 000027
【図２６】
2007267946.tif 000028
【図２７】
2007267946.tif 000029